(57)【要約】  本出願の実施例は、情報伝送方法及び装置を提供する。該方法は、ネットワーク装置が第１キャリアにおける使用可能な第１時間領域リソースを決定し、前記第１時間領域リソースが、第１下り伝送バーストにおける時間領域リソースであることと、前記ネットワーク装置が前記第１キャリアにおける前記第１時間領域リソースによって、端末装置に第１情報を送信し、前記第１情報が、第１サブキャリア間隔に基づいて第１伝送バーストの時間領域リソース情報を決定することを指示するために用いられることとを含む。
2021516484.tif 000002
【特許請求の範囲】
【請求項１】
情報伝送方法であって、
ネットワーク装置が、第１キャリアにおける使用可能な第１時間領域リソースを決定し、前記第１時間領域リソースが、第１下り伝送バーストにおける時間領域リソースであることと、
前記ネットワーク装置が、前記第１キャリアにおける前記第１時間領域リソースによって、端末装置に第１情報を送信し、前記第１情報が、第１サブキャリア間隔に基づいて第１伝送バーストの時間領域リソース情報を決定することを指示するために用いられることとを含む、前記方法。
【請求項２】
前記時間領域リソース情報は、開始位置、終了位置、チャネルが占有する時間領域長及びタイムスロットフォーマットのうちの少なくとも１つを含むことを特徴とする
請求項１に記載の方法。
【請求項３】
前記第１伝送バーストは、前記第１キャリアにおける前記第１下り伝送バースト及び／又は前記第１キャリアにおける第１上り伝送バーストを含み、前記第１上り伝送バーストの所在する周波数領域リソースと前記第１下り伝送バーストの所在する周波数領域リソースとは、少なくとも一部で重なり合うことを特徴とする
請求項１又は２に記載の方法。
【請求項４】
前記第１情報は更に、前記第１サブキャリア間隔に基づいて第２伝送バーストの時間領域リソース情報を決定することを指示するために用いられ、前記第２伝送バーストは、
前記第１キャリアにおける第２下り伝送バースト、
前記第１キャリアにおける第２上り伝送バースト、
第２キャリアにおける第３下り伝送バースト、
及び第２キャリアにおける第３上り伝送バーストのうちの少なくとも１つを含み、
前記第２伝送バーストの所在する周波数領域リソースと前記第１伝送バーストの所在する周波数領域リソースとは、重なり合わないことを特徴とする
請求項１から３のうちいずれか一項に記載の方法。
【請求項５】
前記第１情報は、前記第１サブキャリア間隔に基づいて前記第１伝送バーストの第１終了位置を決定することを指示するために用いられ、前記第１情報は更に、前記第１サブキャリア間隔に基づいて前記第２伝送バーストの第２終了位置を決定することを指示するために用いられ、前記第１終了位置と前記第２終了位置との距離は、第１プリセット値以下であることを特徴とする
請求項４に記載の方法。
【請求項６】
前記第１プリセット値は、１ｍｓであることを特徴とする
請求項５に記載の方法。
【請求項７】
前記第１情報は更に、第２サブキャリア間隔に基づいて第３伝送バーストの時間領域リソース情報を決定することを指示するために用いられ、
前記第３伝送バーストは、
前記第１キャリアにおける第４下り伝送バースト、
前記第１キャリアにおける第４上り伝送バースト、
第２キャリアにおける第５下り伝送バースト、
及び第２キャリアにおける第５上り伝送バーストのうちの少なくとも１つを含み、
前記第３伝送バーストの所在する周波数領域リソースと前記第１伝送バーストの所在する周波数領域リソースとは、重なり合わないことを特徴とする
請求項１から６のうちいずれか一項に記載の方法。
【請求項８】
前記第１情報は、前記第１サブキャリア間隔に基づいて前記第１伝送バーストの第１終了位置を決定することを指示するために用いられ、前記第１情報は更に、前記第２サブキャリア間隔に基づいて前記第３伝送バーストの第３終了位置を決定することを指示するために用いられ、前記第１終了位置と前記第３終了位置との距離は、第２プリセット値以下であることを特徴とする
請求項７に記載の方法。
【請求項９】
前記第２プリセット値は、１ｍｓであることを特徴とする
請求項８に記載の方法。
【請求項１０】
前記方法は、
前記ネットワーク装置が、第３サブキャリア間隔に基づいて下り物理チャネルを伝送することを更に含むことを特徴とする
請求項１から９のうちいずれか一項に記載の方法。
【請求項１１】
前記ネットワーク装置が前記第１キャリアにおける前記第１時間領域リソースによって、端末装置に第１情報を送信することは、
前記ネットワーク装置が、前記第１サブキャリア間隔に基づいて、前記第１キャリアにおける前記第１時間領域リソースによって、端末装置に第１情報を送信することを含むことを特徴とする
請求項１から１０のうちいずれか一項に記載の方法。
【請求項１２】
前記ネットワーク装置が前記第１キャリアにおける前記第１時間領域リソースによって、端末装置に第１情報を送信することは、
前記ネットワーク装置が、第４サブキャリア間隔に基づいて、前記第１キャリアにおける前記第１時間領域リソースによって端末装置に第１情報を送信することを含むことを特徴とする
請求項１から１０のうちいずれか一項に記載の方法。
【請求項１３】
情報伝送方法であって、
端末装置が、第１キャリアにおける第１時間領域リソースによって、ネットワーク装置からの第１情報を受信し、前記第１時間領域リソースが、第１下り伝送バーストにおける時間領域リソースであり、前記第１情報が、第１サブキャリア間隔に基づいて第１伝送バーストの時間領域リソース情報を決定することを指示するために用いられることと、
前記端末装置が、前記第１情報及び前記第１サブキャリア間隔に基づいて、前記第１伝送バーストの時間領域リソース情報を決定することとを含む、前記方法。
【請求項１４】
前記時間領域リソース情報は、開始位置、終了位置、チャネルが占有する時間領域長及びタイムスロットフォーマットのうちの少なくとも１つを含むことを特徴とする
請求項１３に記載の方法。
【請求項１５】
前記第１伝送バーストは、前記第１キャリアにおける前記第１下り伝送バースト及び／又は前記第１キャリアにおける第１上り伝送バーストを含み、前記第１上り伝送バーストの所在する周波数領域リソースと前記第１下り伝送バーストの所在する周波数領域リソースとは、少なくとも一部で重なり合うことを特徴とする
請求項１３又は１４に記載の方法。
【請求項１６】
前記第１情報は更に、前記第１サブキャリア間隔に基づいて第２伝送バーストの時間領域リソース情報を決定することを指示するために用いられ、
前記第２伝送バーストは、
前記第１キャリアにおける第２下り伝送バースト、
前記第１キャリアにおける第２上り伝送バースト、
第２キャリアにおける第３下り伝送バースト、
及び第２キャリアにおける第３上り伝送バーストのうちの少なくとも１つを含み、
前記第２伝送バーストの所在する周波数領域リソースと前記第１伝送バーストの所在する周波数領域リソースとは、重なり合わないことを特徴とする
請求項１３から１５のうちいずれか一項に記載の方法。
【請求項１７】
前記第１情報は、前記第１サブキャリア間隔に基づいて前記第１伝送バーストの第１終了位置を決定することを指示するために用いられ、前記第１情報は更に、前記第１サブキャリア間隔に基づいて前記第２伝送バーストの第２終了位置を決定することを指示するために用いられ、前記第１終了位置と前記第２終了位置との距離は、第１プリセット値以下であることを特徴とする
請求項１６に記載の方法。
【請求項１８】
前記第１プリセット値は、１ｍｓであることを特徴とする
請求項１７に記載の方法。
【請求項１９】
前記第１情報は更に、第２サブキャリア間隔に基づいて第３伝送バーストの時間領域リソース情報を決定することを指示するために用いられ、
前記第３伝送バーストは、
前記第１キャリアにおける第４下り伝送バースト、
前記第１キャリアにおける第４上り伝送バースト、
第２キャリアにおける第５下り伝送バースト、
及び第２キャリアにおける第５上り伝送バーストのうちの少なくとも１つを含み、
前記第３伝送バーストの所在する周波数領域リソースと前記第１伝送バーストの所在する周波数領域リソースとは、重なり合わないことを特徴とする
請求項１３から１８のうちいずれか一項に記載の方法。
【請求項２０】
前記第１情報は、前記第１サブキャリア間隔に基づいて前記第１伝送バーストの第１終了位置を決定することを指示するために用いられ、前記第１情報は更に、前記第２サブキャリア間隔に基づいて前記第３伝送バーストの第３終了位置を決定することを指示するために用いられ、前記第１終了位置と前記第３終了位置との距離は、第２プリセット値以下であることを特徴とする
請求項１９に記載の方法。
【請求項２１】
前記第２プリセット値は、１ｍｓであることを特徴とする
請求項２０に記載の方法。
【請求項２２】
前記方法は、
前記端末装置が、第３サブキャリア間隔に基づいて下り物理チャネルを受信することを更に含むことを特徴とする
請求項１３から２１のうちいずれか一項に記載の方法。
【請求項２３】
前記端末装置が第１キャリアにおける第１時間領域リソースによって、ネットワーク装置からの第１情報を受信することは、
前記端末装置が、前記第１サブキャリア間隔に基づいて、前記第１キャリアにおける前記第１時間領域リソースによって、前記ネットワーク装置からの前記第１情報を受信することを含むことを特徴とする
請求項１３から２２のうちいずれか一項に記載の方法。
【請求項２４】
前記端末装置が第１キャリアにおける第１時間領域リソースによって、前記ネットワーク装置からの第１情報を受信することは、
前記端末装置が、第４サブキャリア間隔に基づいて、前記第１キャリアにおける前記第１時間領域リソースによって、前記ネットワーク装置からの前記第１情報を受信することを含むことを特徴とする
請求項１３から２２のうちいずれか一項に記載の方法。
【請求項２５】
情報伝送装置であって、
第１キャリアにおける使用可能な第１時間領域リソースを決定し、前記第１時間領域リソースが、第１下り伝送バーストにおける時間領域リソースであるように構成される決定モジュールと、
前記第１キャリアにおける前記第１時間領域リソースによって、端末装置に第１情報を送信し、前記第１情報が、第１サブキャリア間隔に基づいて第１伝送バーストの時間領域リソース情報を決定することを指示するために用いられるように構成される通信モジュールとを備える、前記装置。
【請求項２６】
前記時間領域リソース情報は、開始位置、終了位置、チャネルが占有する時間領域長及びタイムスロットフォーマットのうちの少なくとも１つを含むことを特徴とする
請求項２５に記載の装置。
【請求項２７】
前記第１伝送バーストは、前記第１キャリアにおける前記第１下り伝送バースト及び／又は前記第１キャリアにおける第１上り伝送バーストを含み、前記第１上り伝送バーストの所在する周波数領域リソースと前記第１下り伝送バーストの所在する周波数領域リソースとは、少なくとも一部で重なり合うことを特徴とする
請求項２５又は２６に記載の装置。
【請求項２８】
前記第１情報は更に、前記第１サブキャリア間隔に基づいて第２伝送バーストの時間領域リソース情報を決定することを指示するために用いられ、前記第２伝送バーストは、
前記第１キャリアにおける第２下り伝送バースト、
前記第１キャリアにおける第２上り伝送バースト、
第２キャリアにおける第３下り伝送バースト、
及び第２キャリアにおける第３上り伝送バーストのうちの少なくとも１つを含み、
前記第２伝送バーストの所在する周波数領域リソースと前記第１伝送バーストの所在する周波数領域リソースとは、重なり合わないことを特徴とする
請求項２５から２７のうちいずれか一項に記載の装置。
【請求項２９】
前記第１情報は、前記第１サブキャリア間隔に基づいて前記第１伝送バーストの第１終了位置を決定することを指示するために用いられ、前記第１情報は更に、前記第１サブキャリア間隔に基づいて前記第２伝送バーストの第２終了位置を決定することを指示するために用いられ、前記第１終了位置と前記第２終了位置との距離は、第１プリセット値以下であることを特徴とする
請求項２８に記載の装置。
【請求項３０】
前記第１プリセット値は、１ｍｓであることを特徴とする
請求項２９に記載の装置。
【請求項３１】
前記第１情報は更に、第２サブキャリア間隔に基づいて第３伝送バーストの時間領域リソース情報を決定することを指示するために用いられ、
前記第３伝送バーストは、
前記第１キャリアにおける第４下り伝送バースト、
前記第１キャリアにおける第４上り伝送バースト、
第２キャリアにおける第５下り伝送バースト、
及び第２キャリアにおける第５上り伝送バーストのうちの少なくとも１つを含み、
前記第３伝送バーストの所在する周波数領域リソースと前記第１伝送バーストの所在する周波数領域リソースとは、重なり合わないことを特徴とする
請求項２５から３０のうちいずれか一項に記載の装置。
【請求項３２】
前記第１情報は、前記第１サブキャリア間隔に基づいて前記第１伝送バーストの第１終了位置を決定することを指示するために用いられ、前記第１情報は更に、前記第２サブキャリア間隔に基づいて前記第３伝送バーストの第３終了位置を決定することを指示するために用いられ、前記第１終了位置と前記第３終了位置との距離は、第２プリセット値以下であることを特徴とする
請求項３１に記載の装置。
【請求項３３】
前記第２プリセット値は、１ｍｓであることを特徴とする
請求項３２に記載の装置。
【請求項３４】
前記通信モジュールは更に、
第３サブキャリア間隔に基づいて下り物理チャネルを伝送するように構成されることを特徴とする
請求項２５から３３のうちいずれか一項に記載の装置。
【請求項３５】
前記通信モジュールは具体的には、
前記第１サブキャリア間隔に基づいて、前記第１キャリアにおける前記第１時間領域リソースによって、端末装置に第１情報を送信するように構成されることを特徴とする
請求項２５から３４のうちいずれか一項に記載の装置。
【請求項３６】
前記通信モジュールは更に、
第４サブキャリア間隔に基づいて、前記第１キャリアにおける前記第１時間領域リソースによって端末装置に第１情報を送信するように構成されることを特徴とする
請求項２５から３４のうちいずれか一項に記載の装置。
【請求項３７】
情報伝送装置であって、
第１キャリアにおける第１時間領域リソースによって、ネットワーク装置からの第１情報を受信し、前記第１時間領域リソースが、第１下り伝送バーストにおける時間領域リソースであり、前記第１情報が、第１サブキャリア間隔に基づいて第１伝送バーストの時間領域リソース情報を決定することを指示するために用いられるように構成される通信モジュールと、
前記第１情報及び前記第１サブキャリア間隔に基づいて、前記第１伝送バーストの時間領域リソース情報を決定するように構成される決定モジュールとを備える、前記装置。
【請求項３８】
前記時間領域リソース情報は、開始位置、終了位置、チャネルが占有する時間領域長及びタイムスロットフォーマットのうちの少なくとも１つを含むことを特徴とする
請求項３７に記載の装置。
【請求項３９】
前記第１伝送バーストは、前記第１キャリアにおける前記第１下り伝送バースト及び／又は前記第１キャリアにおける第１上り伝送バーストを含み、前記第１上り伝送バーストの所在する周波数領域リソースと前記第１下り伝送バーストの所在する周波数領域リソースとは、少なくとも一部で重なり合うことを特徴とする
請求項３７又は３８に記載の装置。
【請求項４０】
前記第１情報は更に、前記第１サブキャリア間隔に基づいて第２伝送バーストの時間領域リソース情報を決定することを指示するために用いられ、
前記第２伝送バーストは、
前記第１キャリアにおける第２下り伝送バースト、
前記第１キャリアにおける第２上り伝送バースト、
第２キャリアにおける第３下り伝送バースト、
及び第２キャリアにおける第３上り伝送バーストのうちの少なくとも１つを含み、
前記第２伝送バーストの所在する周波数領域リソースと前記第１伝送バーストの所在する周波数領域リソースとは、重なり合わないことを特徴とする
請求項３７から３９のうちいずれか一項に記載の装置。
【請求項４１】
前記第１情報は、前記第１サブキャリア間隔に基づいて前記第１伝送バーストの第１終了位置を決定することを指示するために用いられ、前記第１情報は更に、前記第１サブキャリア間隔に基づいて前記第２伝送バーストの第２終了位置を決定することを指示するために用いられ、前記第１終了位置と前記第２終了位置との距離は、第１プリセット値以下であることを特徴とする
請求項４０に記載の装置。
【請求項４２】
前記第１プリセット値は、１ｍｓであることを特徴とする
請求項４１に記載の装置。
【請求項４３】
前記第１情報は更に、第２サブキャリア間隔に基づいて第３伝送バーストの時間領域リソース情報を決定することを指示するために用いられ、
前記第３伝送バーストは、
前記第１キャリアにおける第４下り伝送バースト、
前記第１キャリアにおける第４上り伝送バースト、
第２キャリアにおける第５下り伝送バースト、
及び第２キャリアにおける第５上り伝送バーストのうちの少なくとも１つを含み、
前記第３伝送バーストの所在する周波数領域リソースと前記第１伝送バーストの所在する周波数領域リソースとは、重なり合わないことを特徴とする
請求項３７から４２のうちいずれか一項に記載の装置。
【請求項４４】
前記第１情報は、前記第１サブキャリア間隔に基づいて前記第１伝送バーストの第１終了位置を決定することを指示するために用いられ、前記第１情報は更に、前記第２サブキャリア間隔に基づいて前記第３伝送バーストの第３終了位置を決定することを指示するために用いられ、前記第１終了位置と前記第３終了位置との距離は、第２プリセット値以下であることを特徴とする
請求項４３に記載の装置。
【請求項４５】
前記第２プリセット値は、１ｍｓであることを特徴とする
請求項４４に記載の装置。
【請求項４６】
前記通信モジュールは更に、
第３サブキャリア間隔に基づいて下り物理チャネルを受信するように構成されることを特徴とする
請求項３７から４５のうちいずれか一項に記載の装置。
【請求項４７】
前記通信モジュールは具体的には、
前記第１サブキャリア間隔に基づいて、前記第１キャリアにおける前記第１時間領域リソースによって、前記ネットワーク装置からの前記第１情報を受信するように構成されることを特徴とする
請求項３７から４６のうちいずれか一項に記載の装置。
【請求項４８】
前記通信モジュールは更に、
第４サブキャリア間隔に基づいて、前記第１キャリアにおける前記第１時間領域リソースによって、前記ネットワーク装置からの前記第１情報を受信するように構成されることを特徴とする
請求項３７から４６のうちいずれか一項に記載の装置。
【発明の詳細な説明】
【技術分野】
【０００１】
本出願の実施例は、通信分野に関し、より具体的には、情報伝送方法及び装置に関する。
【背景技術】
【０００２】
長期的進化（Ｌｏｎｇ  Ｔｅｒｍ  Ｅｖｏｌｕｔｉｏｎ：ＬＴＥ）に基づいたライセンス補助アクセス（Ｌｉｃｅｎｓｅｄ−Ａｓｓｉｓｔｅｄ  Ａｃｃｅｓｓ）（ＬＡＡ−ＬＴＥ）システムにおいて、ライセンススペクトルにおけるキャリアをプライマリキャリアとし、アンライセンススペクトルにおけるキャリアをセカンダリキャリアとし、端末装置のためにサービスを提供する。ここで、アンライセンススペクトルにおいて、通信装置は、「リッスンビフォアトーク（Ｌｉｓｔｅｎ  Ｂｅｆｏｒｅ  Ｔａｌｋ：ＬＢＴ）」という原則に従う。つまり、通信装置は、アンライセンススペクトルのチャネル上で信号を送信する前に、チャネルリッスンを行う必要がある。チャネルがアイドルであるチャネルのリッスン結果の場合しか、該通信装置は、信号送信を行わない。アンライセンススペクトルのチャネルにおいて、チャネルがビジーであるチャネルのリッスン結果である場合、該通信装置は、信号送信を行わない。
【０００３】
通信装置の伝送が実際都合によるものであるため、ＬＢＴに成功する場合しか、データ伝送を行わず、ＬＢＴに失敗した時、データ伝送を行うことができない。従って、ネットワーク装置及び該ネットワークがサービングするセルにおける端末装置は、相手がいつからデータ伝送を始めるか、いつからデータ伝送を終了するかを把握する必要があり、これにより、端末装置とネットワーク装置との正確なデータ通信を実現させる。
【０００４】
新しい無線（Ｎｅｗ  Ｒａｄｉｏ：ＮＲ）技術をアンライセンススペクトルに適用する時、様々なサブキャリア間隔及び大きい帯域幅送信をサポートする。この場合、端末装置とネットワーク装置との正常なデータ通信を実現させるために、データ伝送を行うリソース位置を如何に判定するかは、早急に解決すべき課題となっている。
【発明の概要】
【発明が解決しようとする課題】
【０００５】
本出願の実施例は、情報伝送方法及び装置を提供する。ネットワーク装置及び端末装置は、該方法によって、データ伝送のためのリソース情報を知り得、それによってネットワーク装置と端末装置との正常なデータ通信を実現させることができる。
【課題を解決するための手段】
【０００６】
第１態様によれば、情報伝送方法を提供する。前記方法は、
ネットワーク装置が第１キャリアにおける使用可能な第１時間領域リソースを決定し、前記第１時間領域リソースが、第１下り伝送バーストにおける時間領域リソースであることと、
前記ネットワーク装置が前記第１キャリアにおける前記第１時間領域リソースによって、端末装置に第１情報を送信し、前記第１情報が、第１サブキャリア間隔に基づいて第１伝送バーストの時間領域リソース情報を決定することを指示するために用いられることとを含む。
【０００７】
従って、ネットワーク装置は、第１下り伝送バーストにおける時間領域リソースによって、端末装置に第１情報を送信し、該第１情報によって、第１伝送バースト（例えば、上り伝送バースト及び／又は下り伝送バーストを含むことが可能である）の時間領域リソース情報の決定方式を指示することができる。これにより、該端末装置と該ネットワーク装置は、下り伝送バースト及び／又は上り伝送バーストの時間領域リソース位置について、認識合わせができ、端末装置とネットワーク装置との正確なデータ通信を実現させることができる。
【０００８】
可能な実施形態において、前記時間領域リソース情報は、開始位置、終了位置、チャネルが占有する時間領域長及びタイムスロットフォーマットのうちの少なくとも１つを含む。
【０００９】
可能な実施形態において、前記第１伝送バーストは、前記第１キャリアにおける前記第１下り伝送バースト及び／又は前記第１キャリアにおける第１上り伝送バーストを含み、前記第１上り伝送バーストの所在する周波数領域リソースと前記第１下り伝送バーストの所在する周波数領域リソースとは、少なくとも一部で重なり合う。
【００１０】
任意選択的に、前記第１上り伝送バーストの所在する周波数領域リソースと前記第１下り伝送バーストの所在する周波数領域リソースは、同じ周波数領域リソースである。
【００１１】
可能な実施形態において、前記第１情報は更に、前記第１サブキャリア間隔に基づいて第２伝送バーストの時間領域リソース情報を決定することを指示するために用いられ、前記第２伝送バーストは、前記第１キャリアにおける第２下り伝送バースト、前記第１キャリアにおける第２上り伝送バースト、第２キャリアにおける第３下り伝送バースト、及び第２キャリアにおける第３上り伝送バーストのうちの少なくとも１つを含み、
前記第２伝送バーストの所在する周波数領域リソースと前記第１伝送バーストの所在する周波数領域リソースとは、重なり合わない。
【００１２】
任意選択的に、該第１伝送バースト及び該第２伝送バーストは、同一のキャリアにおける異なるサブバンドに位置してもよく、つまり、該第１情報は、同一のサブキャリア間隔に基づいて該第１キャリアの少なくとも２つのサブバンドにおける伝送バーストの時間領域リソース情報を決定することを指示するために用いられることができる。
【００１３】
任意選択的に、該第１伝送バーストと該第２伝送バーストは、異なるキャリアに位置してもよく、つまり、該第１情報は、同一のサブキャリア間隔に基づいて少なくとも２つのキャリアにおける伝送バーストの時間領域リソース情報を決定することを指示するために用いられることができる。
【００１４】
可能な実施形態において、前記第１情報は、前記第１サブキャリア間隔に基づいて前記第１伝送バーストの第１終了位置を決定することを指示するために用いられ、前記第１情報は更に、前記第１サブキャリア間隔に基づいて前記第２伝送バーストの第２終了位置を決定することを指示するために用いられ、前記第１終了位置と前記第２終了位置との距離は、第１プリセット値以下である。
【００１５】
可能な実施形態において、前記第１プリセット値は、１ｍｓである。
【００１６】
可能な実施形態において、前記第１情報は更に、第２サブキャリア間隔に基づいて第３伝送バーストの時間領域リソース情報を決定することを指示するために用いられ、前記第３伝送バーストは、前記第１キャリアにおける第４下り伝送バースト、前記第１キャリアにおける第４上り伝送バースト、第２キャリアにおける第５下り伝送バースト、及び第２キャリアにおける第５上り伝送バーストのうちの少なくとも１つを含み、
前記第３伝送バーストの所在する周波数領域リソースと前記第１伝送バーストの所在する周波数領域リソースとは、重なり合わない。
【００１７】
任意選択的に、該第１伝送バースト及び該第３伝送バーストは、同一のキャリアにおける異なるサブバンドに位置してもよく、異なるサブバンドにおける伝送バーストの時間領域リソース位置は異なってもよく、つまり、該第１情報は、異なるサブキャリア間隔に基づいて該第１キャリアの少なくとも２つのサブバンドにおける伝送バーストの時間領域リソース情報を決定することを指示するために用いられることができる。
【００１８】
任意選択的に、該第１伝送バーストと該第３伝送バーストは、異なるキャリアに位置してもよく、異なるキャリアにおける伝送バーストの時間領域リソース位置は異なってもよく、つまり、該第１情報は、異なるサブキャリア間隔に基づいて該異なるキャリアにおける伝送バーストの時間領域リソース情報を決定することを指示するために用いられることができる。
【００１９】
同一のキャリアの異なるサブバンドにおける伝送バーストの時間領域リソース位置が異なるか、又は、異なるキャリアにおける伝送バーストの時間領域リソース位置が異なることを示すことで、ネットワーク装置の負荷が低くなる時、ネットワーク装置が、空いている周波数領域リソースをリリースすることができ、周波数領域リソースの利用率の向上に寄与する。
【００２０】
可能な実施形態において、前記第１情報は、前記第１サブキャリア間隔に基づいて前記第１伝送バーストの第１終了位置を決定することを指示するために用いられ、前記第１情報は更に、前記第２サブキャリア間隔に基づいて前記第３伝送バーストの第３終了位置を決定することを指示するために用いられ、前記第１終了位置と前記第３終了位置との距離は、第２プリセット値以下である。
【００２１】
可能な実施形態において、前記第２プリセット値は、１ｍｓである。
【００２２】
可能な実施形態において、前記方法は、
前記ネットワーク装置が第３サブキャリア間隔に基づいて下り物理チャネルを伝送することを更に含む。
【００２３】
可能な実施形態において、前記ネットワーク装置が前記第１キャリアにおける前記第１時間領域リソースによって、端末装置に第１情報を送信することは、
前記ネットワーク装置が前記第１サブキャリア間隔に基づいて、前記第１キャリアにおける前記第１時間領域リソースによって、端末装置に第１情報を送信することを含む。
【００２４】
可能な実施形態において、前記ネットワーク装置が前記第１キャリアにおける前記第１時間領域リソースによって、端末装置に第１情報を送信することは、
前記ネットワーク装置が第４サブキャリア間隔に基づいて、前記第１キャリアにおける前記第１時間領域リソースによって端末装置に第１情報を送信することを含む。
【００２５】
つまり、該第１情報を送信するためのサブキャリア間隔及び下り伝送バーストを決定するためのサブキャリア間隔は、同一であっても、異なっていてもよい。
【００２６】
要するに、該第１キャリア上で伝送される該第１情報は、該第１キャリアにおける下り伝送バースト及び／又は上り伝送バーストの時間領域リソース情報の決定方式を指示するために用いられることができ、該第１キャリアにおける少なくとも２つのサブバンドの下り伝送バースト及び／又は上り伝送バーストの時間領域リソース情報の決定方式を指示するために用いられることもできる。ここで、該少なくとも２つのサブバンドの時間領域リソース情報は、同じサブキャリア間隔に基づいて決定されてもよいし、異なるサブキャリア間隔に基づいて決定されてもよい。又は、該第１情報は更に、例えば第２キャリアのような他のキャリアにおける下り伝送バースト及び／又は上り伝送バーストの時間領域リソース情報の決定方式を指示するために用いられることができる。ここで、第２キャリアと第１キャリアにおける伝送バーストの時間領域リソース情報は、同一のサブキャリア間隔に基づいて決定されてもよいし、異なるサブキャリア間隔に基づいて決定されてもよく、本出願の実施例は、これを限定するものではない。
【００２７】
第２態様によれば、情報伝送方法を提供する。前記方法は、
端末装置は、第１キャリアにおける第１時間領域リソースによって、ネットワーク装置からの第１情報を受信し、前記第１時間領域リソースが、第１下り伝送バーストにおける時間領域リソースであり、前記第１情報が、第１サブキャリア間隔に基づいて第１伝送バーストの時間領域リソース情報を決定することを指示するために用いられることと、
前記端末装置が、前記第１情報及び前記第１サブキャリア間隔に基づいて、前記第１伝送バーストの時間領域リソース情報を決定することとを含む。
【００２８】
可能な実施形態において、前記時間領域リソース情報は、開始位置、終了位置、チャネルが占有する時間領域長及びタイムスロットフォーマットのうちの少なくとも１つを含む。
【００２９】
可能な実施形態において、前記第１伝送バーストは、前記第１キャリアにおける前記第１下り伝送バースト及び／又は前記第１キャリアにおける第１上り伝送バーストを含み、前記第１上り伝送バーストの所在する周波数領域リソースと前記第１下り伝送バーストの所在する周波数領域リソースとは、少なくとも一部で重なり合う。
【００３０】
任意選択的に、前記第１上り伝送バーストの所在する周波数領域リソースと前記第１下り伝送バーストの所在する周波数領域リソースは、同じ周波数領域リソースである。
【００３１】
可能な実施形態において、前記第１情報は更に、前記第１サブキャリア間隔に基づいて第２伝送バーストの時間領域リソース情報を決定することを指示するために用いられ、前記第２伝送バーストは、前記第１キャリアにおける第２下り伝送バースト、前記第１キャリアにおける第２上り伝送バースト、第２キャリアにおける第３下り伝送バースト、及び第２キャリアにおける第３上り伝送バーストのうちの少なくとも１つを含み、
前記第２伝送バーストの所在する周波数領域リソースと前記第１伝送バーストの所在する周波数領域リソースとは、重なり合わない。
【００３２】
任意選択的に、該第１伝送バースト及び該第２伝送バーストは、同一のキャリアにおける異なるサブバンドに位置してもよく、つまり、該第１情報は、同一のサブキャリア間隔に基づいて該第１キャリアの少なくとも２つのサブバンドにおける伝送バーストの時間領域リソース情報を決定することを指示するために用いられることができる。
【００３３】
任意選択的に、該第１伝送バーストと該第２伝送バーストは、異なるキャリアに位置してもよく、つまり、該第１情報は、同一のサブキャリア間隔に基づいて少なくとも２つのキャリアにおける伝送バーストの時間領域リソース情報を決定することを指示するために用いられることができる。
【００３４】
可能な実施形態において、前記第１情報は、前記第１サブキャリア間隔に基づいて前記第１伝送バーストの第１終了位置を決定することを指示するために用いられ、前記第１情報は更に、前記第１サブキャリア間隔に基づいて前記第２伝送バーストの第２終了位置を決定することを指示するために用いられ、前記第１終了位置と前記第２終了位置との距離は、第１プリセット値以下である。
【００３５】
可能な実施形態において、前記第１プリセット値は、１ｍｓである。
【００３６】
可能な実施形態において、前記第１情報は更に、第２サブキャリア間隔に基づいて第３伝送バーストの時間領域リソース情報を決定することを指示するために用いられ、前記第３伝送バーストは、前記第１キャリアにおける第４下り伝送バースト、前記第１キャリアにおける第４上り伝送バースト、第２キャリアにおける第５下り伝送バースト、及び第２キャリアにおける第５上り伝送バーストのうちの少なくとも１つを含み、
前記第３伝送バーストの所在する周波数領域リソースと前記第１伝送バーストの所在する周波数領域リソースとは、重なり合わない。
【００３７】
任意選択的に、該第１伝送バースト及び該第３伝送バーストは、同一のキャリアにおける異なるサブバンドに位置してもよく、異なるサブバンドにおける伝送バーストの時間領域リソース位置は異なってもよく、つまり、該第１情報は、異なるサブキャリア間隔に基づいて該第１キャリアの少なくとも２つのサブバンドにおける伝送バーストの時間領域リソース情報を決定することを指示するために用いられることができる。
【００３８】
任意選択的に、該第１伝送バーストと該第３伝送バーストは、異なるキャリアに位置してもよく、異なるキャリアにおける伝送バーストの時間領域リソース位置は異なってもよく、つまり、該第１情報は、異なるサブキャリア間隔に基づいて該異なるキャリアにおける伝送バーストの時間領域リソース情報を決定することを指示するために用いられることができる。
【００３９】
可能な実施形態において、前記第１情報は、前記第１サブキャリア間隔に基づいて前記第１伝送バーストの第１終了位置を決定することを指示するために用いられ、前記第１情報は更に、前記第２サブキャリア間隔に基づいて前記第３伝送バーストの第３終了位置を決定することを指示するために用いられ、前記第１終了位置と前記第３終了位置との距離は、第２プリセット値以下である。
【００４０】
可能な実施形態において、前記第２プリセット値は、１ｍｓである。
【００４１】
可能な実施形態において、前記方法は、
前記端末装置が第３サブキャリア間隔に基づいて下り物理チャネルを受信することを更に含む。
【００４２】
可能な実施形態において、前記端末装置が第１キャリアにおける第１時間領域リソースによって、ネットワーク装置からの第１情報を受信することは、
前記端末装置が、前記第１サブキャリア間隔に基づいて、前記第１キャリアにおける前記第１時間領域リソースによって、前記ネットワーク装置からの前記第１情報を受信することを含む。
【００４３】
可能な実施形態において、前記端末装置が第１キャリアにおける第１時間領域リソースによって、前記ネットワーク装置からの第１情報を受信することは、
前記端末装置が、第４サブキャリア間隔に基づいて、前記第１キャリアにおける前記第１時間領域リソースによって、前記ネットワーク装置からの前記第１情報を受信することを含む。
【００４４】
つまり、該第１情報を受信するためのサブキャリア間隔及び下り伝送バーストを決定するためのサブキャリア間隔は、同一であっても、異なっていてもよい。
【００４５】
第３態様によれば、上記第１態様又は第１態様の任意選択的な実現形態における方法を実行するための情報伝送装置を提供する。具体的には、該装置は、上記第１態様又は第１態様の任意選択的な実現形態における方法を実行するためのユニットを備える。
【００４６】
第４態様によれば、上記第２態様又は第２態様の任意選択的な実現形態における方法を実行するための情報伝送装置を提供する。具体的には、該装置は、上記第２態様又は第２態様の任意選択的な実現形態における方法を実行するためのユニットを備える。
【００４７】
第５態様によれば、メモリと、プロセッサと、入力インタフェースと、出力インタフェースとを備える情報伝送装置を提供する。ここで、メモリ、プロセッサ、入力インタフェース及び出力インタフェースはバスシステムを介して接続される。該メモリは命令を記憶するために用いられ、該プロセッサは該メモリに記憶されている命令を実行するために用いられ、上記第１態様又は第１態様の任意選択的な実現形態における方法を実行するために用いられる。
【００４８】
第６態様によれば、メモリと、プロセッサと、入力インタフェースと、出力インタフェースとを備える情報伝送装置を提供する。ここで、メモリ、プロセッサ、入力インタフェース及び出力インタフェースはバスシステムを介して接続される。該メモリは命令を記憶するために用いられ、該プロセッサは該メモリに記憶されている命令を実行するために用いられ、上記第２態様又は第２態様の任意選択的な実現形態における方法を実行するために用いられる。
【００４９】
第７態様によれば、上記第１態様又は第１態様の任意選択的な実現形態における方法の実行に用いられるコンピュータソフトウェア命令を記憶するためのコンピュータ記憶媒体を提供し、該媒体は、上記形態の実行のために設計されたプログラムを含む。
【００５０】
第８態様によれば、上記第２態様又は第２態様の任意選択的な実現形態における方法の実行に用いられるコンピュータソフトウェア命令を記憶するためのコンピュータ記憶媒体を提供し、該媒体は、上記形態の実行のために設計されたプログラムを含む。
【００５１】
第９態様によれば、命令を含むコンピュータプログラム製品を提供する。該製品がコンピュータ上で実行される時、コンピュータに、上記第１態様又は第１態様の任意選択的な実現形態における方法を実行させる。
【００５２】
第１０態様によれば、命令を含むコンピュータプログラム製品を提供する。該製品がコンピュータ上で実行される時、コンピュータに、上記第２態様又は第２態様の任意選択的な実現形態における方法を実行させる。
【図面の簡単な説明】
【００５３】
【図１】本出願の実施例による通信システムを示す概略図である。
【図２】本出願の実施例による情報伝送方法を示すフローチャートである。
【図３】本出願の実施例による情報伝送方法の一例を示す概略図である。
【図４】本出願の実施例による情報伝送方法の別の一例を示す概略図である。
【図５】本出願の実施例による情報伝送装置を示すブロック図である。
【図６】本出願の別の実施例による情報伝送装置を示すブロック図である。
【発明を実施するための形態】
【００５４】
以下、図面を参照しながら、本出願の技術的解決手段を説明する。
【００５５】
本明細書で用いられる用語「部材」、「モジュール」、「システム」等は、コンピュータに関連したエンティティ、ハードウェア、ファームウェア、ハードウェアとソフトウェアの組み合わせ、ソフトウェア、又は実行中のソフトウェアを表すためのものである。例えば、部材は、プロセッサ上で実行されるプロセス、プロセッサ、オブジェクト、実行ファイル、実行スレッド、プログラム及び／又はコンピュータであってもよいが、これらに限定されない。図面によれば、コンピューティング装置上で実行されるアプリケーションおよびコンピューティング装置はいずれも部材であってもよい。１つ又は複数の部材は、プロセス及び／又は実行スレッド内にありうる。部材は、１つのコンピュータに位置してもよいか、及び／又は、２つ以上のコンピュータの間に分布してもよい。なお、これらの部材は、様々なデータ構造が記憶されている様々なコンピュータ可読媒体により実行されてもよい。部材は、例えば、１つ又は複数のデータパケット（例えば、ローカルシステム、分散型システム及び／ネットワークの別の部材と対話する２つの部材からのデータ、例えば、信号を介して他のシステムと対話するインターネット）の信号に基づいて、ローカル及び／又はリモートプロセスを介して通信を行うことができる。
【００５６】
本出願の実施例は、例えばグローバルモバイル通信（Ｇｌｏｂａｌ  Ｓｙｓｔｅｍ  ｏｆ  Ｍｏｂｉｌｅ  ｃｏｍｍｕｎｉｃａｔｉｏｎｓ：ＧＳＭ）システム、符号分割多元接続（Ｃｏｄｅ  Ｄｉｖｉｓｉｏｎ  Ｍｕｌｔｉｐｌｅ  Ａｃｃｅｓｓ：ＣＤＭＡ）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ：ＷＣＤＭＡ）システム、汎用パケット無線サービス（Ｇｅｎｅｒａｌ  Ｐａｃｋｅｔ  Ｒａｄｉｏ  Ｓｅｒｖｉｃｅ：ＧＰＲＳ）、長期的進化（Ｌｏｎｇ  Ｔｅｒｍ  Ｅｖｏｌｕｔｉｏｎ：ＬＴＥ）システム、先進の長期的進化（Ａｄｖａｎｃｅｄ  ｌｏｎｇ  ｔｅｒｍ  ｅｖｏｌｕｔｉｏｎ：ＬＴＥ−Ａ）システム、アンライセンススペクトルにおけるＬＴＥ（ＬＴＥ−ｂａｓｅｄ  ａｃｃｅｓｓ  ｔｏ  ｕｎｌｉｃｅｎｓｅｄ  ｓｐｅｃｔｒｕｍ：ＬＴＥ−Ｕ）システム、新しい無線（Ｎｅｗ  Ｒａｄｉｏ：ＮＲ）システム及び、アンライセンススペクトルにおけるＮＲ（ＮＲ−ｂａｓｅｄ  ａｃｃｅｓｓ  ｔｏ  ｕｎｌｉｃｅｎｓｅｄ  ｓｐｅｃｔｒｕｍ：ＮＲ−Ｕ）のようなＮＲシステムの進化型システム、ユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ：ＵＭＴＳ）、無線ローカルエリアネットワーク（Ｗｉｒｅｌｅｓｓ  Ｌｏｃａｌ  Ａｒｅａ  Ｎｅｔｗｏｒｋｓ：ＷＬＡＮ）、ワイヤレスフィデリティ（Ｗｉｒｅｌｅｓｓ  Ｆｉｄｅｌｉｔｙ：ＷｉＦｉ）又は次世代通信システム等といった種々の通信システムに適用されてもよい。
【００５７】
一般的には、従来の通信システムのサポートする接続数が限られて、実現しやすい。しかしながら、通信技術の成長に伴い、移動通信システムは、従来の通信をサポートするだけでなく、デバイスツーデバイス（Ｄｅｖｉｃｅ  ｔｏ  Ｄｅｖｉｃｅ：Ｄ２Ｄ）通信、マシンツーマシン（Ｍａｃｈｉｎｅ  ｔｏ  Ｍａｃｈｉｎｅ：Ｍ２Ｍ）通信、マシンタイプ通信（Ｍａｃｈｉｎｅ  Ｔｙｐｅ  Ｃｏｍｍｕｎｉｃａｔｉｏｎ：ＭＴＣ）及び車両間（Ｖｅｈｉｃｌｅ  ｔｏ  Ｖｅｈｉｃｌｅ：Ｖ２Ｖ）通信をサポートするようになる。
【００５８】
本出願の実施例における通信システムは、キャリアアグリゲーション（Ｃａｒｒｉｅｒ  Ａｇｇｒｅｇａｔｉｏｎ：ＣＡ）シナリオに適用されてもよく、二重接続（Ｄｕａｌ  Ｃｏｎｎｅｃｔｉｖｉｔｙ：ＤＣ）シナリオに適用されてもよく、スタンドアローン（Ｓｔａｎｄａｌｏｎｅ：ＳＡ）シナリオに適用されてもよい。
【００５９】
本出願の実施例は、ネットワーク装置と端末装置によって、各実施例を説明する。ここで、
端末装置は、ユーザ装置（Ｕｓｅｒ  Ｅｑｕｉｐｍｅｎｔ：ＵＥ）、アクセス端末、ユーザユニット、ユーザ局、移動ステーション、移動局、遠隔局、遠隔端末、移動装置、ユーザ端末、端末、無線通信装置、ユーザ用エージェント又はユーザ装置と称されてもよい。端末装置は、ＷＬＡＮにおけるステーション（ＳＴＡＩＯＮ：ＳＴ）であってもよく、セルラー電話、コードレス電話、セッション開始プロトコル（Ｓｅｓｓｉｏｎ  Ｉｎｉｔｉａｔｉｏｎ  Ｐｒｏｔｏｃｏｌ：ＳＩＰ）電話、ワイヤレスローカルループ（Ｗｉｒｅｌｅｓｓ  Ｌｏｃａｌ  Ｌｏｏｐ：ＷＬＬ）局、パーソナルデジタルアシスタント（Ｐｅｒｓｏｎａｌ  Ｄｉｇｉｔａｌ  Ａｓｓｉｓｔａｎｔ：ＰＤＡ）、無線通信機能を有するハンドヘルド装置、計算装置又は無線モデムに接続される他の処理装置、車載装置、ウェアラブル装置、第５世代の通信（ｆｉｆｔｈ−ｇｅｎｅｒａｔｉｏｎ：５Ｇ）ネットワークにおける端末装置又は将来の進化型ＰＬＭＮにおける端末装置等のような次世代の通信システムであってもよい。
【００６０】
限定されるものではないが、例として、本出願の実施例において、該端末装置は、ウェアラブル装置であってもよい。ウェアラブル装置は、ウェアラブルインテリジェント装置と称されてもよく、ウェアラブルな技術により、日常装着品についてインテリジェント設計を行うことで開発されたウェアラブル装置の総称である。例えば、メガネ、手袋、腕時計、服装及び靴等が挙げられる。ウェアラブル装置は、直接的に着用されるか、ユーザの服装又はアクセサリに整合された携帯用装置である。ウェアラブル装置は、ハードウェア装置であるだけでなく、ソフトウェアサポート、データ交換及びクラウド側の対話により高機能化されたものでもある。広義的ウェアラブルインテリジェント装置は、スマートウオッチ又はスマートメガネなどのような、高機能で、寸法が大きく、スマートフォンに依存せずに全部又は一部の機能を実現させるものを含む。なお、様々なバイタルサインモニタリングを行うスマートブレスレット、スマートジュエリー等のような、特定の適用機能のみに注目して、スマートフォンのような他の装置と組み合わせて使用されるものを含む。
【００６１】
ネットワーク装置は、モバイル装置と通信する装置であってもよい。ネットワーク装置は、ＷＬＡＮにおけるアクセスポイント（Ａｃｃｅｓｓ  Ｐｏｉｎｔ：ＡＰ）、ＧＳＭ又はＣＤＭＡにおける基地局（Ｂａｓｅ  Ｔｒａｎｓｃｅｉｖｅｒ  Ｓｔａｔｉｏｎ：ＢＴＳ）であってもよいし、ＷＣＤＭＡにおける基地局（ＮｏｄｅＢ：ＮＢ）であってもよいし、ＬＴＥにおける進化型基地局（Ｅｖｏｌｕｔｉｏｎａｌ  Ｎｏｄｅ  Ｂ：ｅＮＢ又はｅＮｏｄｅＢ）、中継局、アクセスポイント、車載装置、ウェアラブル装置、将来の５Ｇシステムにおけるネットワーク装置又は将来の進化型ＰＬＭＮネットワークにおける端末装置等であってもよい。
【００６２】
本出願の実施例において、ネットワーク装置は、セルのためにサービスを提供する。端末装置は、該セルで使用される伝送リソース（例えば、周波数領域リソース又はスペクトルリソース）を介してネットワーク装置と通信する。該セルは、ネットワーク装置（例えば、基地局）に対応するセルであってもよい。セルは、マクロ基地局に属してもよいし、スモールセル（Ｓｍａｌｌ  ｃｅｌｌ）に対応する基地局に属してもよい。ここで、スモールセルは、メトロセル（Ｍｅｔｒｏ  Ｃｅｌｌ）、マイクロセル（Ｍｉｃｒｏ  ｃｅｌｌ）、ピコセル（Ｐｉｃｏ  ｃｅｌｌ）、フェムトセル（Ｆｅｍｔｏ  ｃｅｌｌ）等を含んでもよい。これらのスモールセルは、カバレッジが小さく、送信電力が低いという特性を有し、ハイレートのデータ伝送サービスに適用される。
【００６３】
本出願の実施例において、ＬＴＥシステム又は５Ｇシステムにおけるキャリア上で、複数のセルが同一の周波数で動作することが可能である。幾つかの特別なシナリオにおいて、上記キャリアがセルの概念と同様であると見なし得る。例えば、キャリアアグリゲーション（Ｃａｒｒｉｅｒ  Ａｇｇｒｅｇａｔｉｏｎ：ＣＡ）シナリオにおいて、ＵＥに対してセカンダリキャリアを設定する時、セカンダリキャリアのキャリアインデックス及び該セカンダリキャリア上で動作するセカンダリセルのセル識別子（Ｃｅｌｌ  Ｉｎｄｅｎｔｉｆｙ：Ｃｅｌｌ  ＩＤ）を同時に搬送してＵＥに対してセカンダリキャリアを設定する。この場合、キャリアがセルの概念と同様であると見なし得る。例えば、ＵＥが１つのキャリアにアクセスすることは、１つのセルにアクセスすることに等しい。
【００６４】
本出願の実施例における下り物理チャネルは、物理下り制御チャネル（Ｐｈｙｓｉｃａｌ  Ｄｏｗｎｌｉｎｋ  Ｃｏｎｔｒｏｌ  Ｃｈａｎｎｅｌ：ＰＤＣＣＨ）、拡張物理下り制御チャネル（Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ：ＥＰＤＣＣＨ）、物理下り共有チャネル（Ｐｈｙｓｉｃａｌ  Ｄｏｗｎｌｉｎｋ  Ｓｈａｒｅｄ  Ｃｈａｎｎｅｌ：ＰＤＳＣＨ）、物理ＨＡＲＱインジケータチャネル(Ｐｈｙｓｉｃａｌ  Ｈｙｂｒｉｄ  ＡＲＱ  Ｉｎｄｉｃａｔｏｒ  Ｃｈａｎｎｅｌ：ＰＨＩＣＨ)、物理マルチキャストチャネル（Ｐｈｙｓｉｃａｌ  Ｍｕｌｔｉｃａｓｔ   Ｃｈａｎｎｅｌ：ＰＭＣＨ）、物理ブロードキャストチャネル（Ｐｈｙｓｉｃａｌ  Ｂｒｏａｄｃａｓｔ  Ｃｈａｎｎｅｌ：ＰＢＣＨ)等を含んでもよいことに留意されたい。下り参照信号は、下り同期信号（Ｓｙｎｃｈｒｏｎｉｚａｔｉｏｎ  Ｓｉｇｎａｌ）、位相追跡参照信号（Ｐｈａｓｅ  Ｔｒａｃｋｉｎｇ  Ｒｅｆｅｒｅｎｃｅ  Ｓｉｇｎａｌ：ＰＴ−ＲＳ）、下り復調参照信号（ＤｅＭｏｄｕｌａｔｉｏｎ  Ｒｅｆｅｒｅｎｃｅ  Ｓｉｇｎａｌ：ＤＭＲＳ）、チャネル状態情報参照信号（Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ：ＣＳＩ−ＲＳ）等を含んでもよい。ここで、下り同期信号は、通信装置のネットワークへのアクセス及び無線リソース管理測定に用いられ、下りＤＭＲＳは、下り信号の復調に用いられ、ＣＳＩ−ＲＳは、下りチャネルの測定に用いられ、ＰＴ−ＲＳは、下り時間周波数同期化又は位相追跡に用いられる。本出願の実施例において、上記下り物理チャネル又は下り参照信号とは、名称が同様であって、機能が異なるものを含んでもよいし、上記下り物理チャネル又は下り参照信号とは、名称が異なっており、機能が同様であるものを含んでもよく、本出願はこれを限定するものではないことが理解されるべきである。
【００６５】
本出願の実施例における上り物理チャネルは、物理ランダムアクセスチャネル（Ｐｈｙｓｉｃａｌ  Ｒａｎｄｏｍ  Ａｃｃｅｓｓ  Ｃｈａｎｎｅｌ：ＰＲＡＣＨ）、物理上り制御チャネル（Ｐｈｙｓｉｃａｌ  Ｕｐｌｉｎｋ  Ｃｏｎｔｒｏｌ  Ｃｈａｎｎｅｌ：ＰＵＣＣＨ）、物理上り共有チャネル（Ｐｈｙｓｉｃａｌ  Ｕｐｌｉｎｋ  Ｓｈａｒｅｄ  Ｃｈａｎｎｅｌ：ＰＵＳＣＨ）等を含んでもよいことに留意されたい。上り参照信号は、上り復調参照信号（ＤｅＭｏｄｕｌａｔｉｏｎ  Ｒｅｆｅｒｅｎｃｅ  Ｓｉｇｎａｌ：ＤＭＲＳ）、サウンディング参照信号（Ｓｏｕｎｄｉｎｇ  Ｒｅｆｅｒｅｎｃｅ  Ｓｉｇｎａｌ：ＳＲＳ）、位相追跡参照信号（Ｐｈａｓｅ  Ｔｒａｃｋｉｎｇ  Ｒｅｆｅｒｅｎｃｅ  Ｓｉｇｎａｌ：ＰＴ−ＲＳ）等を含んでもよい。ここで、上りＤＭＲＳは、上りチャネルの復調に用いられ、ＳＲＳは、上りチャネルの測定に用いられ、ＰＴ−ＲＳは、上り時間周波数同期化又は位相追跡に用いられる。本出願の実施例において、上記上り物理チャネル又は上り参照信号とは、名称が同様であって、機能が異なるものを含んでもよいし、上記上り物理チャネル又は上り参照信号とは、名称が異なっており、機能が同様であるものを含んでもよく、本出願はこれを限定するものではないことが理解されるべきである。
【００６６】
図１は、本出願の実施例による通信システムを示す概略図である。図１に示すように、該通信システム１００は、ネットワーク装置１１０と、端末装置１２０とを備える。
【００６７】
該ネットワーク装置１１０は、上述したネットワーク装置のあらゆる実現形態であってもよいし、該端末装置１２０は、上述した端末装置のあらゆる実現形態であってもよく、ここで、詳細な説明を省略する。
【００６８】
該通信システム１００は、ＰＬＭＮネットワーク、Ｄ２Ｄネットワーク、Ｍ２Ｍネットワーク又は他のネットワークであってもよく、図１は列挙した簡略概略図に過ぎず、ネットワークには、図１に示されていない他のネットワーク装置が含まれてもよいことが理解されるべきである。
【００６９】
本出願の実施例において、ネットワーク装置と端末装置との無線通信（例えば、上り伝送又は下り伝送）に用いられる周波数領域リソースは、競合メカニズムに基づいて用いられる周波数領域リソースである。
【００７０】
例えば、ネットワーク装置及び／又は端末装置は、特定の帯域幅（例えば、２０ＭＨｚ）を有する周波数領域リソースが現在、アイドル状態であるか、つまり該周波数領域リソースが他の装置により使用されているかを検出することができる。該周波数領域リソースがアイドル状態である場合、つまり該周波数領域リソースが他の装置により使用されていない場合、ネットワーク装置及び／又は端末装置は、該周波数領域リソースを用いて、上り伝送又は下り伝送のような通信を行うことができる。該周波数領域リソースがアイドル状態でない場合、つまり、該周波数領域リソースが他の装置により使用されている場合、ネットワーク装置及び／又は端末装置は、該周波数領域リソースを使用することができない。
【００７１】
限定されるものではないが、例として、本出願の実施例において、該通信システム１００が使用する周波数領域リソース（つまり、ネットワーク装置及び端末装置が競合メカニズムに基づいて使用する周波数領域リソース）は、ライセンススペクトルリソースであってもよい。つまり、本出願の実施例における通信システム１００は、ライセンススペクトルを使用できる通信システムである。また、通信システム１００内の各通信装置（ネットワーク装置及び／又は端末装置）は、競合の方式で該ライセンススペクトルの周波数領域リソースを使用することができる。「ライセンス周波数領域リソース」は、「許可を必要とするスペクトルリソース」又は「許可を必要とするキャリア」と称されてもよく、国家又は地域の無線委員会によって承認した場合しか使用できない周波数領域リソースを指す。
【００７２】
又は、本出願の実施例において、該通信システム１００が使用する周波数領域リソース（つまり、ネットワーク装置及び端末装置が競合メカニズムに基づいて使用する周波数領域リソース）は、アンライセンススペクトルリソースであってもよい。「アンライセンス周波数領域リソース」は、「許可を必要としないスペクトルリソース”又は「許可を必要としないキャリア」と称されてもよく、各通信装置がアンライセンスバンドにおけるリソースを共有できることを指す。
【００７３】
限定されるものではないが、例として、本出願の実施例において、該アンライセンススペクトルリソースは、５ギガヘルツ（Ｇｉｇａ  Ｈｅｒｔｚ：ＧＨｚ）近傍の周波数帯、２．４ＧＨｚ近傍の周波数帯、３．５ＧＨｚ近傍の周波数帯、３７ＧＨｚ近傍の周波数帯、６０ＧＨｚ近傍の周波数帯を含んでもよい。
【００７４】
以下、図２から図４を参照しながら、本出願の実施例の情報伝送方法を説明する。本出願の実施例は、主に、時間領域におけるリソースの決定方式に関するものであり、周波数領域におけるリソースの決定方式は、従来技術と同一または類似であってもよく、ここで、重複を回避するために、詳細な説明を省略することに留意されたい。
【００７５】
図２から図４は、本出願の実施例による情報伝送方法を示すフローチャートであり、該方法の詳細な通信工程又は操作を示すが、これらの工程又は操作は単なる例に過ぎず、本出願の実施例は他の操作又は図２から図４における様々な操作の変形を実行することもできることが理解されるべきである。
【００７６】
なお、図２から図４における各工程は、図２から図４に示すものと異なる順番で実行されることができ、且つ図２から図４における全ての操作を実行するわけではない可能性もある。
【００７７】
図２は、本出願の実施例による情報伝送方法を示すフローチャートである。図２に示すように、該方法２００は以下を含む。
【００７８】
Ｓ２１０において、ネットワーク装置が第１キャリアにおける使用可能な第１時間領域リソースを決定し、該第１時間領域リソースが、第１下り伝送バーストにおける時間領域リソースである。
【００７９】
Ｓ２２０において、該ネットワーク装置が該第１キャリアにおける該第１時間領域リソースによって、端末装置に第１情報を送信し、該第１情報が、第１サブキャリア間隔に基づいて第１伝送バーストの時間領域リソース情報を決定することを指示するために用いられる。
【００８０】
従って、ネットワーク装置は、第１キャリアの第１伝送バーストにおける時間領域リソースによって、端末装置に第１情報を送信し、該第１情報によって、第１伝送バースト（例えば、上り伝送バースト及び／又は下り伝送バーストを含むことが可能である）の時間領域リソース情報の決定方式を指示することができる。これにより、該端末装置と該ネットワーク装置は、第１伝送バーストの時間領域リソース位置について認識合わせができ、端末装置とネットワーク装置との正確なデータ通信を実現させることができる。
【００８１】
本出願の実施例において、該第１キャリアは、アンライセンスキャリアであり、即ち、該第１情報は、アンライセンスキャリアにおける伝送バーストの時間領域リソース情報の決定方式を指示するために用いられることができる。
【００８２】
任意選択的に、本出願の実施例において、該第１情報を送信するための該第１時間領域リソースは、該第１下り伝送バーストにおける、ネットワーク装置により設定される下り制御チャネルを伝送するための時間領域リソースである。例えば、制御リソースセット（Ｃｏｎｔｒｏｌ  Ｒｅｓｏｕｒｃｅ  Ｓｅｔ：ＣＯＲＥＳＥＴ）における時間領域リソースである。
【００８３】
本出願の実施例において、１つの下り伝送バーストは、ネットワーク装置により連続的に伝送される時間ユニットと定義されてもよく、同様に、１つの上り伝送バーストは、端末装置により連続的に伝送される時間ユニットと定義されてもよいことが理解されるべきである。１つの時間ユニットは、１つ又は複数のサブフレームと定義されてもよいし、１つ又は複数のタイムスロットと定義されてもよいし、１つ又は複数のマイクロタイムスロット又はシンボル等と定義されてもよい。１つの下り伝送バースト又は１つの上り伝送バーストの開始時間ユニット及び／又は終了時間ユニットは、完全な時間ユニットであってもよいし、時間ユニットの一部等であってもよい。本出願の実施例はこれを限定するものではない。
【００８４】
任意選択的に、本出願の実施例において、時間領域リソース情報は、開始位置、終了位置、チャネルが占有する時間領域長及びタイムスロットフォーマットのうちの少なくとも１つを含む。又は、該時間領域リソース情報は、時間領域リソース位置を表すことができる他の情報であってもよい。本出願の実施例はこれを限定するものではない。
【００８５】
例えば、第１伝送バーストの時間領域リソース情報は、第１伝送バーストの、開始シンボル又は開始タイムスロットなどのような開始位置を含んでもよい。
【００８６】
又は、該第１伝送バーストの時間領域リソース情報は、第１伝送バーストの、終了シンボル又は終了タイムスロットなどのような終了位置を含んでもよい。
【００８７】
又は、該第１伝送バーストの時間領域リソース情報は、第１伝送バーストのチャネルが占有する時間長、即ち、該第１伝送バーストにおいてチャネル伝送を行うために占有する時間長を含んでもよく、例えば、サブフレームの数又はタイムスロットの数等を含む。
【００８８】
又は、該第１伝送バーストの時間領域リソース情報は、該第１伝送バーストのタイムスロットフォーマットを含んでもよい。例えば、該第１伝送バーストのタイムスロットフォーマットは、ビットマップの方式を利用して１つ又は複数のタイムスロット内のタイムスロットフォーマットを指示することができる。又は、該第１伝送バーストのタイムスロットフォーマットは、１つのタイムスロット内に含まれる下りシンボルの数情報及び／又は上りシンボルの数情報を指示することもできる。又は、該第１伝送バーストのタイムスロットフォーマットは、１つのタイムスロット内のタイムスロットフォーマットインデックスを指示することができる。該タイムスロットフォーマットインデックスは、特定のタイムスロットフォーマットを指示するためのものであってもよく、本出願の実施例は、該第１伝送バーストのタイムスロットフォーマットの指示方式を特に限定するものではない。
【００８９】
任意選択的に、本出願の実施例において、該第１伝送バーストは、該第１キャリアにおける該第１下り伝送バースト及び／又は該第１キャリアにおける第１上り伝送バーストを含んでもよい。つまり、該ネットワーク装置は、該第１情報によって該第１キャリアにおける下り伝送バーストの時間領域リソース情報を指示できるだけでなく、該第１情報によって該第１キャリアにおける上り伝送バーストの時間領域リソース情報を指示することもできる。これにより、該端末装置と該ネットワーク装置は、該第１キャリアにおける下り伝送バースト及び／又は上り伝送バーストの時間領域リソース位置に対して、意識合わせることができる。従って、端末装置とネットワーク装置との正確なデータ通信を実現させることができる。
【００９０】
任意選択的に、幾つかの実施例において、該第１キャリアにおける該第１上り伝送バーストの所在する周波数領域リソースと該第１キャリアにおける該第１下り伝送バーストの所在する周波数領域リソースとは、少なくとも一部で重なり合う。例えば、該第１キャリアにおける該第１下り伝送バーストと該第１キャリアにおける該第１上り伝送バーストは、該第１キャリアにおける同一のサブバンドに位置してもよい。
【００９１】
本出願の実施例において、該第１伝送バーストの時間領域リソース情報を決定するための該第１サブキャリア間隔は、通信システムにより定義されるサブキャリ間隔であってもよいし、該第１サブキャリア間隔は、ネットワーク装置により設定されるサブキャリア間隔であってもよいし、該第１サブキャリア間隔は、ネットワーク装置による下り制御情報の伝送に用いられるサブキャリア間隔等であってもよく、本出願の実施例はこれを限定するものではないことが理解されるべきである。
【００９２】
任意選択的に、該第１サブキャリア間隔の大きさは、該第１キャリアにおける物理チャネル伝送用サブキャリア間隔の大きさ以下である。
【００９３】
以下、該第１情報の指示方式を詳しく説明する。
【００９４】
実施例１：該第１情報は更に、該第１サブキャリア間隔に基づいて第２伝送バーストの時間領域リソース情報を決定することを指示するために用いられてもよく、該第２伝送バーストは、
該第１キャリアにおける第２下り伝送バースト、
該第１キャリアにおける第２上り伝送バースト、
第２キャリアにおける第３下り伝送バースト、
及び第２キャリアにおける第３上り伝送バーストのうちの少なくとも１つを含み、
該第２伝送バーストの所在する周波数領域リソースと該第１伝送バーストの所在する周波数領域リソースとは、重なり合わない。
【００９５】
換言すれば、該第１情報は、該第１サブキャリア間隔に基づいて該第１伝送バーストの時間領域リソース情報を決定することを指示することができるだけでなく、該第１サブキャリア間隔に基づいて第２伝送バーストの時間領域リソース情報を決定することを指示することもできる。即ち、該ネットワーク装置は、同一のサブキャリア間隔に基づいて第１伝送バーストと第２伝送バーストの時間領域リソース情報を決定することを指示することができる。該第１伝送バーストと該第２伝送バーストが位置する周波数領域位置によれば、下記２つのシナリオを含む。
【００９６】
シナリオ１：該第１伝送バーストと該第２伝送バーストは、同一のキャリアにおける異なるサブバンドに位置してもよい。例えば、該第１キャリアは、第１サブバンド及び第２サブバンドを含んでもよい。該第１伝送バーストは、該第１キャリアの第１サブバンドに位置してもよい。該第２伝送バーストは、該第１キャリアの第２サブバンドに位置してもよい。具体的には、該第１伝送バーストは、該第１キャリアの第１サブバンドにおける第１上り伝送バースト及び／又は第１下り伝送バーストを含んでもよく、該第２伝送バーストは、該第１キャリアの第２サブバンドにおける第２上り伝送バースト及び／又は第２下り伝送バーストを含んでもよい。
【００９７】
シナリオ２：該第１伝送バーストと該第２伝送バーストは、異なるキャリアに位置してもよい。例えば、該第１伝送バーストは、該第１キャリアに位置し、該第２伝送バーストは第２キャリアに位置する。該第１伝送バーストは、第１キャリアにおける第１上り伝送バースト及び／又は第１下り伝送バーストを含んでもよい。該第２伝送バーストは、第２キャリアにおける第３下り伝送バースト及び／又は第３上り伝送バーストを含んでもよい。任意選択的に、該第２キャリアにおける該第３下り伝送バーストと該第２キャリアにおける該第３上り伝送バーストは、該第２キャリアにおける同一のサブバンドに位置してもよい。
【００９８】
該実施例１から見れば、該第１キャリア上で伝送される該第１情報は、シナリオ１のように、同一のサブキャリア間隔に基づいて該第１キャリアの少なくとも２つのサブバンドにおける伝送バーストの時間領域リソース情報を決定することを指示するために用いられる。ここで、該少なくとも２つのサブバンドにおける伝送バーストの時間領域リソース位置は同じであってもよい。この場合、該第１情報は、１つのみの時間領域リソース情報を指示する。又は、該少なくとも２つのサブバンドにおける伝送バーストの時間領域リソース位置は異なってもよい。この場合、該第１情報は、該少なくとも２つのサブバンドのうちの各サブバンドにおける伝送バーストの時間領域リソース位置を指示するために用いられる。
【００９９】
又は、該第１キャリア上で伝送される該第１情報は、該第１キャリアにおける第１伝送バーストの時間領域リソース情報の決定方式を指示するために用いられるだけでなく、第２キャリアのような他のキャリアにおける第２伝送バーストの時間領域リソース情報の決定方式を指示するために用いられる。即ち、第１情報は、少なくとも２つのキャリアにおける伝送バーストの時間領域リソースの決定方式を指示するために用いられる。ここで、第１キャリアにおける第１伝送バーストの時間領域リソース情報の決定及び第２キャリアにおける第２伝送バーストの時間領域リソース情報の決定に用いられるサブキャリア間隔は同じであってもよい。これはシナリオ２である。
【０１００】
任意選択的に、本出願の実施例において、該第２キャリアは該第１キャリアと異なるアンライセンスキャリアであってもよい。
【０１０１】
実施例１の１つの具体的な実施例において、該第１情報は、該第１サブキャリア間隔に基づいて該第１伝送バーストの第１終了位置を決定することを指示するために用いられ、該第１情報は更に、該第１サブキャリア間隔に基づいて該第２伝送バーストの第２終了位置を決定することを指示するために用いられ、該第１終了位置と該第２終了位置との距離は、第１プリセット値以下である。
【０１０２】
任意選択的に、幾つかの実施例において、該第１プリセット値は１ｍｓであってもよい。
【０１０３】
例えば、シナリオ１において、該第１キャリアの少なくとも２つのサブバンドにおける伝送バーストの終了位置は異なってもよく、この場合、該少なくとも２つのサブバンドにおける伝送バーストの終了位置間の時間間隔は該第１プリセット値以下である。
【０１０４】
又は、シナリオ２において、該第１キャリアと該第２キャリアにおける伝送バーストの終了位置は異なってもよく、この場合、該第１キャリアと該第２キャリアにおける伝送バーストの終了位置間の時間間隔は該第１プリセット値以下である。
【０１０５】
実施例２：該第１情報は更に、第２サブキャリア間隔に基づいて第３伝送バーストの時間領域リソース情報を決定することを指示するために用いられ、該第３伝送バーストは、
該第１キャリアにおける第４下り伝送バースト、
該第１キャリアにおける第４上り伝送バースト、
第２キャリアにおける第５下り伝送バースト、
及び第２キャリアにおける第５上り伝送バーストのうちの少なくとも１つを含み、
該第３伝送バーストの所在する周波数領域リソースと前記第１伝送バーストの所在する周波数領域リソースとは、重なり合わない。
【０１０６】
換言すれば、該第１情報は、第１サブキャリア間隔に基づいて第１伝送バーストの時間領域リソース情報を決定することを指示するために用いられるだけでなく、第２サブキャリア間隔のような非第１サブキャリア間隔に基づいて第３伝送バーストの時間領域リソース情報を決定することを指示するために用いられる。該第１伝送バーストと該第３伝送バーストの周波数領域位置によれば、下記２つのシナリオに分けられる。
【０１０７】
シナリオ３：該第１伝送バーストと該第３伝送バーストは、同一のキャリアにおける異なるサブバンドに位置してもよい。例えば、該第１キャリアは、第１サブバンド及び第２サブバンドを含んでもよい。該第１伝送バーストは、該第１キャリアの第１サブバンドに位置してもよい。該第３伝送バーストは、該第１キャリアの第２サブバンドに位置してもよい。つまり、該第１情報は、異なるサブキャリア間隔に基づいて第１キャリアにおける異なるサブバンドの伝送バーストの時間領域リソース情報を決定することを指示するために用いられる。例えば、該第１伝送バーストは、該第１キャリアの第１サブバンドにおける第１上り伝送バースト及び／又は第１下り伝送バーストを含んでもよく、該第３伝送バーストは、該第１キャリアの第２サブバンドにおける第４上り伝送バースト及び／又は第４下り伝送バーストを含んでもよい。
【０１０８】
シナリオ４：該第１伝送バーストと該第３伝送バーストは、異なるキャリアに位置してもよい。例えば、該第１伝送バーストは、該第１キャリアに位置し、該第３伝送バーストは第２キャリアに位置する。該第１伝送バーストは、第１キャリアにおける第１上り伝送バースト及び／又は第１下り伝送バーストを含んでもよい。該第３伝送バーストは、第２キャリアにおける第５下り伝送バースト及び／又は第５上り伝送バーストを含んでもよい。任意選択的に、該第２キャリアにおける該第５下り伝送バーストと該第２キャリアにおける該第５上り伝送バーストは、該第２キャリアにおける同一のサブバンドに位置してもよい。
【０１０９】
該実施例２から見れば、該第１キャリア上で伝送される該第１情報は、シナリオ３のように、異なるサブキャリア間隔に基づいて該第１キャリアにおける異なるサブバンドの伝送バーストの時間領域リソース情報を決定することを指示するために用いられる。ここで、異なるサブバンドにおける伝送バーストの時間領域リソース位置は異なってもよい。例えば、ネットワーク装置は、異なるサブバンドにおいて、異なる下り伝送バーストの終了位置を備えてもよい。従って、ネットワーク装置の負荷が低くなる時、ネットワーク装置が、空いている周波数領域リソースをリリースすることができ、周波数領域リソースの利用率の向上に寄与する。
【０１１０】
又は、該第１キャリア上で伝送される該第１情報は、シナリオ４のように、異なるサブキャリア間隔に基づいて異なるキャリアにおける伝送バーストの時間領域リソース情報を決定することを指示するために用いられる。ここで、該異なるキャリアにおける伝送バーストの時間領域リソース位置は異なってもよい。例えば、ネットワーク装置は、異なるキャリアにおいて、異なる下り伝送バーストの終了位置を備えてもよい。従って、ネットワーク装置の負荷が低くなる時、ネットワーク装置が、空いている周波数領域リソースをリリースすることができ、周波数領域リソースの利用率の向上に寄与する。
【０１１１】
任意選択的に、該実施例２の１つの具体的な実施例において、該第１情報は、該第１サブキャリア間隔に基づいて該第１伝送バーストの第１終了位置を決定することを指示するために用いられ、該第１情報は更に、該第２サブキャリア間隔に基づいて該第３伝送バーストの第３終了位置を決定することを指示するために用いられ、該第１終了位置と該第３終了位置との距離は、第２プリセット値以下である。
【０１１２】
例えば、シナリオ３において、該第１伝送バーストの第１終了位置は、該第１キャリアの第１サブバンドにおける伝送バーストの第１終了位置であってもよく、該第３伝送バーストの第３終了位置は、該第１キャリアの第２サブバンドにおける伝送バーストの第３終了位置であってもよい。又は、シナリオ４において、該第１伝送バーストの第１終了位置は、該第１キャリアにおける伝送バーストの第１終了位置であってもよく、該第３伝送バーストの第３終了位置は、該第２キャリアにおける伝送バーストの第３終了位置であってもよく、該第１終了位置と該第３終了位置は異なってもよい。この場合、該第１終了位置と該第３終了位置との時間間隔は、第２プリセット値以下である。
【０１１３】
任意選択的に、幾つかの実施例において、該第２プリセット値は１ｍｓであってもよい。
【０１１４】
該実施例１及び実施例２から見れば、該第１キャリア上で伝送される該第１情報は、該第１キャリアにおける下り伝送バースト及び／又は上り伝送バーストの時間領域リソース情報の決定方式を指示するために用いられ、また、該第１キャリアにおける少なくとも２つのサブバンドの下り伝送バースト及び／又は上り伝送バーストの時間領域リソース情報の決定方式を指示するために用いられる。ここで、該少なくとも２つのサブバンドの時間領域リソース情報は、同じサブキャリア間隔に基づいて決定されるものであってもよいし、異なるサブキャリア間隔に基づいて決定されるものであってもよい。又は、該第１情報は更に、第２キャリアのような他のキャリアにおける下り伝送バースト及び／又は上り伝送バーストの時間領域リソース情報の決定方式を指示するために用いられる。ここで、第２キャリアと第１キャリアにおける伝送バーストの時間領域リソース情報は、同一のサブキャリア間隔に基づいて決定されるものであってもよいし、異なるサブキャリア間隔に基づいて決定されるものであってもよく、本出願の実施例はこれを限定するものではない。
【０１１５】
任意選択的に、幾つかの実施例において、該方法２００は、
該ネットワーク装置が第３サブキャリア間隔に基づいて下り物理チャネルを伝送することを更に含む。
【０１１６】
ここで、該第３サブキャリア間隔と該第１サブキャリア間隔は異なってもよい。つまり、下り物理チャネルの伝送に用いられるサブキャリア間隔と下り伝送バーストの決定に用いられるサブキャリア間隔は異なってもよい。換言すれば、第１サブキャリア間隔に基づいて下り伝送バーストの時間領域リソース情報を決定した後、実際にデータ伝送を行う時、前記第１サブキャリア間隔と異なる第３サブキャリア間隔に基づいて下り物理チャネルを伝送することができる。勿論、該ネットワーク装置は、第１サブキャリア間隔に基づいて下り物理チャネルを伝送することもできる。本出願の実施例は、これを限定するものではない。
【０１１７】
例として、図３に示すように、該第１サブキャリア間隔を１５ｋＨｚとすれば、該ネットワーク装置は、１５ｋＨｚに基づいて第１下り伝送バーストの時間領域リソース情報を決定することができる。例えば、該第１下り伝送バーストにおけるチャネルが占有する時間領域長又は終了位置等を決定する。実際に、該第１下り伝送バーストに対応する時間領域リソース上でデータ伝送を行う時、ネットワーク装置は、チャネル検出に成功した（例えば、ＬＢＴに成功したか、クリアチャネルアセスメント（Ｃｌｅａｒ  Ｃｈａｎｎｅｌ  Ａｓｓｅｓｓｍｅｎｔ：ＣＣＡ）に成功した）後に、第１サブキャリア間隔と同じであるか異なるサブキャリア間隔（例えば、１５ｋＨｚ、３０ｋＨｚ及び６０ｋＨｚのうちの１つ又は複数のサブキャリア間隔）に基づいて、下り物理チャネルを伝送することができる。
【０１１８】
また、例えば図４に示すように、該第１キャリアは、サブバンド＃１及びサブバンド＃２を含んでもよい。該第１情報は、第１サブキャリア間隔（例えば１５ｋＨｚ）に基づいてサブバンド＃１に対応する第１下り伝送バーストの時間領域リソース情報を決定することを指示するために用いられ、また、第２サブキャリア間隔（例えば３０ｋＨｚ）に基づいてサブバンド＃２に対応する第２下り伝送バーストの時間領域リソース情報を決定することを指示するために用いられる。ここで、サブバンド＃１とサブバンド＃２における下り伝送バーストの終了位置は異なってもよい。任意選択的に、終了位置の時間差は、第２プリセット値以下であってもよい。
【０１１９】
サブバンド＃１及びサブバンド＃２上で実際にデータ伝送を行う時、ネットワーク装置は、サブバンドにおけるチャネル検出に成功した（例えばＬＢＴに成功したか、ＣＣＡに成功した）後に、第１サブキャリア間隔と同じであるか異なるサブキャリア間隔に基づいて、サブバンド＃１上で下り物理チャネルを伝送することができ（例えば、サブバンド＃１における第１下り伝送バーストの時間領域リソース情報において、１５ｋＨｚ、３０ｋＨｚ及び６０ｋＨｚのうちの１つ又は複数のサブキャリア間隔に基づいて下り物理チャネルを伝送することができる）、第２サブキャリア間隔と同じであるか異なるサブキャリア間隔に基づいて、サブバンド＃２上で下り物理チャネルを伝送することができる（例えば、サブバンド＃２における第２下り伝送バーストの時間領域リソース情報において、１５ｋＨｚ、３０ｋＨｚ及び６０ｋＨｚのうちの１つ又は複数のサブキャリア間隔に基づいて下り物理チャネルを伝送することもできる）。
【０１２０】
任意選択的に、幾つかの実施例においてＳ２２０は具体的には、
該ネットワーク装置が該第１サブキャリア間隔に基づいて、前記第１キャリアにおける前記第１時間領域リソースによって、端末装置に第１情報を送信すること、
又は、該ネットワーク装置が該第４サブキャリア間隔に基づいて、前記第１キャリアにおける前記第１時間領域リソースによって、端末装置に第１情報を送信することを含んでもよい。
【０１２１】
ここで、該第１サブキャリア間隔と該第４サブキャリア間隔は異なる。換言すれば、該第１情報を送信するためのサブキャリア間隔及び下り伝送バーストを決定するためのサブキャリア間隔は、同一であっても、異なっていてもよい。具体的には、ネットワーク装置は、該第１情報を送信するための下り制御リソースを決定することができる。該下り制御リソースは、第１サブキャリア間隔に基づいて決定されるものであってもよいし、他のサブキャリア間隔に基づいて決定されるものであってもよい。本出願の実施例は、これを限定するものではない。ここで、該下り制御リソースは、上述した時間領域リソースである。更に、該ネットワーク装置は、該第１サブキャリア間隔又は第４サブキャリア間隔のような非第１サブキャリア間隔に基づいて該第１キャリアにおける該下り制御リソース上で該第１情報を送信することができる。
【０１２２】
従って、本出願の実施例の情報伝送方法によれば、ネットワーク装置は、指示情報によって、アンライセンスキャリアにおける伝送バーストの時間領域リソース位置の決定方式を指示することができる。任意選択的に、該アンライセンスキャリアが少なくとも２つのサブバンドを含むと、該指示情報は、同一の基準サブキャリア間隔（即ち第１サブキャリア間隔）に基づいて該少なくとも２つのサブバンドにおける伝送バーストの時間領域リソース情報を決定することを指示するために用いられる。又は、独立した基準サブキャリア間隔に基づいて各サブバンドにおける伝送バーストの時間領域リソース情報を決定することを指示するために用いられる。又は、該第１情報は更に、同一の基準サブキャリア間隔に基づいて少なくとも２つのキャリアにおける伝送バーストの時間領域リソース情報を決定することを指示するために用いられる。又は、独立した基準サブキャリア間隔に基づいて各キャリアにおける伝送バーストの時間領域リソース情報を決定することを指示するために用いられる。従って、端末装置とネットワーク装置は、下り伝送バースト及び／又は上り伝送バーストの時間領域リソース位置に対して、意識合わせることができ、端末装置とネットワーク装置との正確なデータ通信を実現させることができる。
【０１２３】
上記では、図２から図４を参照しながら、ネットワーク装置の点から本出願の実施例による信号伝送方法を詳しく説明したが、これに対応するように、端末装置は、類似した方式で本出願の実施例による信号伝送方法を実行することもできる。簡潔にするために、ここで詳細な説明を省略する。
【０１２４】
以下、図５から図６を参照しながら、本出願の装置の実施例を詳しく説明する。装置の実施例と方法の実施例は互いに対応しており、類似した記述は方法の実施例を参照することが理解されるべきである。
【０１２５】
図５は、本出願の実施例による情報伝送装置を示すブロック図である。図５における装置５００は、
第１キャリアにおける使用可能な第１時間領域リソースを決定し、前記第１時間領域リソースが、第１下り伝送バーストにおける時間領域リソースであるように構成される決定モジュール５１０と、
前記第１キャリアにおける前記第１時間領域リソースによって、端末装置に第１情報を送信し、前記第１情報が、第１サブキャリア間隔に基づいて第１伝送バーストの時間領域リソース情報を決定することを指示するために用いられるように構成される通信モジュール５２０とを備える。
【０１２６】
任意選択的に、幾つかの実施例において、前記時間領域リソース情報は、開始位置、終了位置、チャネルが占有する時間領域長及びタイムスロットフォーマットのうちの少なくとも１つを含む。
【０１２７】
任意選択的に、幾つかの実施例において、前記第１伝送バーストは、前記第１キャリアにおける前記第１下り伝送バースト及び／又は前記第１キャリアにおける第１上り伝送バーストを含み、前記第１上り伝送バーストの所在する周波数領域リソースと前記第１下り伝送バーストの所在する周波数領域リソースとは、少なくとも一部で重なり合う。
【０１２８】
任意選択的に、幾つかの実施例において、前記第１情報は更に、前記第１サブキャリア間隔に基づいて第２伝送バーストの時間領域リソース情報を決定することを指示するために用いられ、前記第２伝送バーストは、
前記第１キャリアにおける第２下り伝送バースト、
前記第１キャリアにおける第２上り伝送バースト、
第２キャリアにおける第３下り伝送バースト、
及び第２キャリアにおける第３上り伝送バーストのうちの少なくとも１つを含み、
前記第２伝送バーストの所在する周波数領域リソースと前記第１伝送バーストの所在する周波数領域リソースとは、重なり合わない。
【０１２９】
任意選択的に、幾つかの実施例において、前記第１情報は、前記第１サブキャリア間隔に基づいて前記第１伝送バーストの第１終了位置を決定することを指示するために用いられ、前記第１情報は更に、前記第１サブキャリア間隔に基づいて前記第２伝送バーストの第２終了位置を決定することを指示するために用いられ、前記第１終了位置と前記第２終了位置との距離は、第１プリセット値以下である。
【０１３０】
任意選択的に、幾つかの実施例において、前記第１プリセット値は、１ｍｓである。
【０１３１】
任意選択的に、幾つかの実施例において、前記第１情報は更に、第２サブキャリア間隔に基づいて第３伝送バーストの時間領域リソース情報を決定することを指示するために用いられ、前記第３伝送バーストは、
前記第１キャリアにおける第４下り伝送バースト、
前記第１キャリアにおける第４上り伝送バースト、
第２キャリアにおける第５下り伝送バースト、
及び第２キャリアにおける第５上り伝送バーストのうちの少なくとも１つを含み、
前記第３伝送バーストの所在する周波数領域リソースと前記第１伝送バーストの所在する周波数領域リソースとは、重なり合わない。
【０１３２】
任意選択的に、幾つかの実施例において、前記第１情報は、前記第１サブキャリア間隔に基づいて前記第１伝送バーストの第１終了位置を決定することを指示するために用いられ、前記第１情報は更に、前記第２サブキャリア間隔に基づいて前記第３伝送バーストの第３終了位置を決定することを指示するために用いられ、前記第１終了位置と前記第３終了位置との距離は、第２プリセット値以下である。
【０１３３】
任意選択的に、幾つかの実施例において、前記第２プリセット値は、１ｍｓである。
【０１３４】
任意選択的に、幾つかの実施例において、前記通信モジュールは更に、
第３サブキャリア間隔に基づいて下り物理チャネルを伝送するように構成される。
【０１３５】
任意選択的に、幾つかの実施例において、前記通信モジュール５２０は具体的には、
前記第１サブキャリア間隔に基づいて、前記第１キャリアにおける前記第１時間領域リソースによって、端末装置に第１情報を送信するように構成される。
【０１３６】
任意選択的に、幾つかの実施例において、前記通信モジュール５２０は更に、
第４サブキャリア間隔に基づいて、前記第１キャリアにおける前記第１時間領域リソースによって端末装置に第１情報を送信するように構成される。
【０１３７】
従って、本出願の実施例の情報伝送装置は、指示情報によって、アンライセンスキャリアにおける伝送バーストの時間領域リソース位置の決定方式を指示することができる。任意選択的に、該アンライセンスキャリアが少なくとも２つのサブバンドを含むと、該指示情報は、同一の基準サブキャリア間隔（即ち第１サブキャリア間隔）に基づいて該少なくとも２つのサブバンドにおける伝送バーストの時間領域リソース情報を決定することを指示するために用いられる。又は、独立した基準サブキャリア間隔に基づいて各サブバンドにおける伝送バーストの時間領域リソース情報を決定することを指示するために用いられる。又は、該第１情報は更に、同一の基準サブキャリア間隔に基づいて少なくとも２つのキャリアにおける伝送バーストの時間領域リソース情報を決定することを指示するために用いられる。又は、独立した基準サブキャリア間隔に基づいて各キャリアにおける伝送バーストの時間領域リソース情報を決定することを指示するために用いられる。従って、端末装置とネットワーク装置は、下り伝送バースト及び／又は上り伝送バーストの時間領域リソース位置に対して、意識合わせることができ、端末装置とネットワーク装置との正確なデータ通信を実現させることができる。
【０１３８】
具体的には、該装置５００は、上記方法２００におけるネットワーク装置に対応してもよい（例えば、それに配置されてもよいし、その自体がネットワーク装置であってもよい）。また、該装置５００における各モジュール又はユニットはそれぞれ上記方法２００におけるネットワーク装置により実行される各動作又はプロセスを実行するために用いられ、ここで、説明の繰り返しを避けるために、その詳細な説明を省略する。
【０１３９】
図６に示すように、本出願の実施例は、情報伝送装置６００を更に提供する。前記装置６００は、図５における装置５００であってもよい。それは、図２に示した方法２００に対応するネットワーク装置の動作を実行するように構成される。前記装置６００は、入力インタフェース６１０と、出力インタフェース６２０と、プロセッサ６３０と、メモリ６４０とを備える。前記入力インタフェース６１０、出力インタフェース６２０、プロセッサ６３０及びメモリ６４０は、バスシステムを介して接続される。前記メモリ６４０は、プログラム、命令又はコードを記憶するために用いられる。前記プロセッサ６３０は、前記メモリ６４０におけるプログラム、命令又はコードを実行し、入力インタフェース６１０による信号受信、出力インタフェース６２０による信号送信を制御し、前記方法の実施例における操作を完成するために用いられる。
【０１４０】
従って、本出願の実施例の情報伝送方法によれば、ネットワーク装置は、指示情報によって、アンライセンスキャリアにおける伝送バーストの時間領域リソース位置の決定方式を指示することができる。任意選択的に、該アンライセンスキャリアが少なくとも２つのサブバンドを含むと、該指示情報は、同一の基準サブキャリア間隔（即ち第１サブキャリア間隔）に基づいて該少なくとも２つのサブバンドにおける伝送バーストの時間領域リソース情報を決定することを指示するために用いられる。又は、独立した基準サブキャリア間隔に基づいて各サブバンドにおける伝送バーストの時間領域リソース情報を決定することを指示するために用いられる。又は、該第１情報は更に、同一の基準サブキャリア間隔に基づいて少なくとも２つのキャリアにおける伝送バーストの時間領域リソース情報を決定することを指示するために用いられる。又は、独立した基準サブキャリア間隔に基づいて各キャリアにおける伝送バーストの時間領域リソース情報を決定することを指示するために用いられる。従って、端末装置とネットワーク装置は、上り伝送バースト及び／又は下り伝送バーストの時間領域リソース位置に対して、意識合わせることができ、端末装置とネットワーク装置との正確なデータ通信を実現させることができる。
【０１４１】
理解すべき点として、本出願の実施例において、前記プロセッサ６３０は、中央処理装置（Ｃｅｎｔｒａｌ  Ｐｒｏｃｅｓｓｉｎｇ  Ｕｎｉｔ：「ＣＰＵ」と略称）であってもよく、前記プロセッサ６３０はまた、他の汎用プロセッサ、デジタル信号プロセッサ（ＤＳＰ）、特定用途向け集積回路（ＡＳＩＣ）、現場でプログラム可能なゲートアレイ（ＦＰＧＡ）又は他のプログラマブルロジックデバイス、ディスクリートゲート又はトランジスタロジックデバイス、ディスクリートハードウェアコンポーネント等であってもよい。汎用プロセッサはマイクロプロセッサであってもよいし、該プロセッサは如何なる従来のプロセッサ等であってもよい。
【０１４２】
前記メモリ６４０は読み取り専用メモリ及びランダムアクセスメモリを含み、プロセッサ６３０に命令及びデータを提供する。メモリ６４０の一部は、不揮発性ランダムアクセスメモリを更に含んでもよく。例えば、メモリ６４０は機器タイプに関する情報を記憶することもできる。
【０１４３】
上記方法の各プロセスは、実現する過程において、プロセッサ６３０におけるハードウェアの集積論理回路又はソフトウェアの形の命令により完成することができる。本出願の実施例に開示されている方法のプロセスに合わせて、ハードウェアプロセッサによって完成し、又はプロセッサにおけるハードウェアとソフトウェアモジュールとの組み合わせで実行して完成するように示す。ソフトウェアモジュールは、ランダムアクセスメモリ、フラッシュメモリ、読み取り専用メモリ、プログラマブル読み取り専用メモリ又は電気的消去プログラム可能なメモリ、レジスタ等の本分野の従来の記憶媒体内に存在してもよい。前記記憶媒体はメモリ６４０内に位置し、プロセッサ６３０はメモリ６４０中の情報を読み取り、そのハードウェアと共に上記方法のプロセスを完了する。説明の繰り返しを避けるために、ここで詳しく説明しないようにする。
【０１４４】
具体的な実現形態において、図４に示した装置４００に含まれる決定モジュール４１０は、図６に示したプロセッサ６３０により実現される。図６に示した装置６００に含まれる検出モジュール４２０は、図６に示した前記入力インタフェース６１０及び前記出力インタフェース６２０により実現される。
【０１４５】
本出願の実施例は、コンピュータ可読記憶媒体を更に提供する。該コンピュータ可読記憶媒体には、１つ又は複数のプログラムが記憶されている。該１つ又は複数のプログラムは命令を含む。該命令は、複数のアプリケーションを含む携帯型電子装置により実行される場合、該携帯型電子装置に、図２から図３に示した実施例における方法を実行させる。
【０１４６】
本出願の実施例は、コンピュータプログラムを更に提供する。該コンピュータプログラムは命令を含む。該コンピュータプログラムがコンピュータにより実行される場合、コンピュータに、図２から図３に示した実施例における方法のプロセスを実行させる。
【０１４７】
当業者であれば、本明細書に開示されている実施例に関係して記載された種々の例示的なユニット及びアルゴリズムステップは、電子ハードウエア、又はコンピュータソフトウエアと電子ハードウエアとの組み合わせとして実現されることが十分理解され得る。ハードウェアとソフトウェアとのどちらで、これらの機能を実行するかは、技術的解決手段の特定の応用及び設計上の制限条件により決められる。当業者は、特定の用途毎に記載の機能を実現するために異なる方法を使用してもよいが、この実現が本発明の範囲を超えるものとして考えられるべきではない。
【０１４８】
説明上の便宜及び簡素化を図るために、上記説明されたシステム、装置及びユニットの具体的な作動過程は、前記方法の実施例における対応した過程を参照することができるから、ここで詳しく説明しないようにすることは、当業者にはっきり理解されるべきである。
【０１４９】
本発明で提供する幾つかの実施例で開示したシステム、装置及び方法は、他の方式によって実現できることを理解すべきである。例えば、以上に記載した装置の実施例はただ例示的なもので、例えば、前記ユニットの分割はただロジック機能の分割で、実際に実現する時は他の分割方式によってもよい。例えば、複数のユニット又は組立体を組み合わせてもよいし、別のシステムに組み込んでもよい。又は若干の特徴を無視してもよいし、実行しなくてもよい。また、示したか或いは検討した相互間の結合又は直接的な結合又は通信接続は、幾つかのインターフェイス、装置又はユニットによる間接的な結合又は通信接続であってもよく、電気的、機械的または他の形態であってもよい。
【０１５０】
分離部材として説明した該ユニットは、物理的に別個のものであってもよいし、そうでなくてもよい。ユニットとして示された部材は、物理的ユニットであってもよいし、そうでなくてもよい。即ち、同一の位置に位置してもよいし、複数のネットワークに分布してもよい。実際の需要に応じてそのうちの一部又は全てのユニットにより本実施例の方策の目的を実現することができる。
【０１５１】
また、本発明の各実施例における各機能ユニットは一つの処理ユニットに集積されてもよいし、各ユニットが物理的に別個のものとして存在してもよいし、２つ以上のユニットが一つのユニットに集積されてもよい。
【０１５２】
該機能はソフトウェア機能ユニットの形で実現され、かつ独立した製品として販売または使用されるとき、コンピュータにより読み取り可能な記憶媒体内に記憶されてもよい。このような理解のもと、本発明の技術的解決手段は、本質的に、又は、従来技術に対して貢献をもたらした部分又は該技術的解決手段の一部は、ソフトウェア製品の形式で具現することができ、このようなコンピュータソフトウェア製品は、記憶媒体に記憶しても良く、また、コンピュータ設備（パソコン、サーバ、又はネットワーク装置など）に、本発明の各実施例に記載の方法の全部又は一部のステップを実行させるための若干の命令を含む。前記の記憶媒体は、Ｕディスク、リムーバブルハードディスク、読み出し専用メモリ（Ｒｅａｄ-ｏｎｌｙ Ｍｅｍｏｒｙ：ＲＯＭ）、ランダムアクセスメモリ（Ｒａｎｄｏｍ Ａｃｃｅｓｓ Ｍｅｍｏｒｙ：ＲＡＭ）、ディスク、又は光ディスクなど、プログラムコードを記憶可能な各種の媒体を含む。
【０１５３】
以上は本発明の具体的な実施形態に過ぎず、本発明の保護の範囲はそれらに制限されるものではなく、当業者が本発明に開示された技術範囲内で容易に想到しうる変更や置換はいずれも、本発明の保護範囲内に含まれるべきである。従って、本発明の保護範囲は特許請求の範囲の保護範囲を基準とするべきである。
【図１】
2021516484.tif 000003
【図２】
2021516484.tif 000004
【図３】
2021516484.tif 000005
【図４】
2021516484.tif 000006
【図５】
2021516484.tif 000007
【図６】
2021516484.tif 000008
【手続補正書】
【提出日】令和3年1月12日(2021.1.12)
【手続補正１】
【補正対象書類名】特許請求の範囲
【補正対象項目名】全文
【補正方法】変更
【補正の内容】
【特許請求の範囲】
【請求項１】
情報伝送方法であって、
端末装置が、第１キャリアにおける第１時間領域リソースによって、ネットワーク装置からの第１情報を受信し、前記第１時間領域リソースが、第１下り伝送バーストにおける時間領域リソースであり、前記第１情報が、第１サブキャリア間隔に基づいて第１伝送バーストの時間領域リソース情報を指示するために用いられ、前記第１キャリアがアンライセンスキャリアであることと、
前記端末装置が、前記第１情報に基づいて、前記第１伝送バーストの時間領域リソース情報を決定することとを含み、
前記第１伝送バーストの時間領域リソース情報は、前記第１伝送バーストの開始、前記第１伝送バーストの終了、チャネルが占有する時間領域長及びタイムスロットフォーマットのうちの少なくとも１つを含むことを特徴とする
情報伝送方法。
【請求項２】
前記第１伝送バーストは、前記第１キャリアにおける前記第１下り伝送バースト及び／又は前記第１キャリアにおける第１上り伝送バーストを含み、前記第１上り伝送バーストの対応する周波数領域リソースと前記第１下り伝送バーストの対応する周波数領域リソースとは、少なくとも一部で重なり合うことを特徴とする
請求項１に記載の方法。
【請求項３】
前記第１情報は更に、前記第１サブキャリア間隔に基づいて第２伝送バーストの時間領域リソース情報を指示するために用いられ、
前記第２伝送バーストは、
前記第１キャリアにおける第２下り伝送バースト、
前記第１キャリアにおける第２上り伝送バースト、
第２キャリアにおける第３下り伝送バースト、
及び第２キャリアにおける第３上り伝送バーストのうちの少なくとも１つを含み、
前記第２伝送バーストの対応する周波数領域リソースと前記第１伝送バーストの対応する周波数領域リソースとは、重なり合わないことを特徴とする
請求項１又は２に記載の方法。
【請求項４】
前記第１情報は更に、第２サブキャリア間隔に基づいて第３伝送バーストの時間領域リソース情報を指示するために用いられ、
前記第３伝送バーストは、
前記第１キャリアにおける第４下り伝送バースト、
前記第１キャリアにおける第４上り伝送バースト、
第２キャリアにおける第５下り伝送バースト、
及び第２キャリアにおける第５上り伝送バーストのうちの少なくとも１つを含み、
前記第３伝送バーストの対応する周波数領域リソースと前記第１伝送バーストの対応する周波数領域リソースとは、重なり合わないことを特徴とする
請求項１又は２に記載の方法。
【請求項５】
前記第２キャリアがアンライセンスキャリアである、
請求項３又は４に記載の方法。
【請求項６】
前記第１時間領域リソースが、前記第１下り伝送バーストにおける、前記ネットワーク装置により設定される、下り制御チャネルを伝送するための時間領域リソースを含み、
前記第１下り伝送バーストにおける、前記ネットワーク装置により設定される、下り制御チャネルを伝送するための前記時間領域リソースが、制御リソースセット（ＣＯＲＥＳＥＴ）における時間領域リソースを含む、
請求項１に記載の方法。
【請求項７】
前記第１サブキャリア間隔が、前記ネットワーク装置により設定されるサブキャリア間隔を含む、
請求項１に記載の方法。
【請求項８】
前記第２サブキャリア間隔が、前記ネットワーク装置により設定されるサブキャリア間隔を含む、
請求項４に記載の方法。
【請求項９】
情報伝送装置であって、
第１キャリアにおける第１時間領域リソースによって、ネットワーク装置からの第１情報を受信し、前記第１時間領域リソースが、第１下り伝送バーストにおける時間領域リソースであり、前記第１情報が、第１サブキャリア間隔に基づいて第１伝送バーストの時間領域リソース情報を指示するために用いられ、前記第１キャリアがアンライセンスキャリアであるように構成される通信モジュールと、
前記第１情報に基づいて、前記第１伝送バーストの時間領域リソース情報を決定するように構成される決定モジュールとを備え、
前記第１伝送バーストの時間領域リソース情報は、前記第１伝送バーストの開始、前記第１伝送バーストの終了、チャネルが占有する時間領域長及びタイムスロットフォーマットのうちの少なくとも１つを含むことを特徴とする
情報伝送装置。
【請求項１０】
前記第１伝送バーストは、前記第１キャリアにおける前記第１下り伝送バースト及び／又は前記第１キャリアにおける第１上り伝送バーストを含み、前記第１上り伝送バーストの対応する周波数領域リソースと前記第１下り伝送バーストの対応する周波数領域リソースとは、少なくとも一部で重なり合うことを特徴とする
請求項９に記載の装置。
【請求項１１】
前記第１情報は更に、第２サブキャリア間隔に基づいて第３伝送バーストの時間領域リソース情報を指示するために用いられ、
前記第３伝送バーストは、
前記第１キャリアにおける第４下り伝送バースト、
前記第１キャリアにおける第４上り伝送バースト、
第２キャリアにおける第５下り伝送バースト、
及び第２キャリアにおける第５上り伝送バーストのうちの少なくとも１つを含み、
前記第３伝送バーストの対応する周波数領域リソースと前記第１伝送バーストの対応する周波数領域リソースとは、重なり合わないことを特徴とする
請求項９又は１０に記載の装置。
【請求項１２】
前記第２キャリアがアンライセンスキャリアである、
請求項１１に記載の装置。
【請求項１３】
前記第１時間領域リソースが、前記第１下り伝送バーストにおける、前記ネットワーク装置により設定される、下り制御チャネルを伝送するための時間領域リソースを含み、
前記第１下り伝送バーストにおける、前記ネットワーク装置により設定される、下り制御チャネルを伝送するための前記時間領域リソースが、制御リソースセット（ＣＯＲＥＳＥＴ）における時間領域リソースを含む、
請求項９に記載の装置。
【請求項１４】
前記第１サブキャリア間隔が、前記ネットワーク装置により設定されるサブキャリア間隔を含む、
請求項９に記載の装置。
【請求項１５】
非一時的コンピュータ記憶媒体であって、コンピュータ読取可能な命令が記憶され、プロセッサによって実行されると、前記プロセッサに請求項１から８のいずれか一項に記載の情報伝送方法を実行させる、
非一時的コンピュータ記憶媒体。
【国際調査報告】
2021516484.tif 000009
2021516484.tif 000010
2021516484.tif 000011
2021516484.tif 000012